(57)【特許請求の範囲】
【請求項１】
ソースコアネットワーク制御プレーンデバイスによって端末デバイスの第１のネットワークスライス選択支援情報を入手するステップと、
前記ソースコアネットワーク制御プレーンデバイスが、前記第１のネットワークスライス選択支援情報によってインデックス付けされているターゲットコアネットワーク制御プレーンデバイスを決定することが可能ではない場合に、前記ソースコアネットワーク制御プレーンデバイスによって前記第１のネットワークスライス選択支援情報および第１の表示情報を前記端末デバイスへ送信して、第１の登録要求メッセージを送信するように前記端末デバイスをトリガーするステップであって、前記第１の表示情報は、前記端末デバイスの一時識別子が無効であるということを示すために使用され、前記第１の登録要求メッセージは、前記端末デバイスの前記第１のネットワークスライス選択支援情報および永久識別子を搬送する、ステップと
を含むコアネットワーク制御プレーンデバイス選択方法。
【請求項２】
ソースコアネットワーク制御プレーンデバイスによって端末デバイスの第１のネットワークスライス選択支援情報を入手する前記ステップは、
前記ソースコアネットワーク制御プレーンデバイスによってサブスクライバーデータ管理センターデバイスから前記端末デバイスのサブスクリプションデータを入手するステップと、
前記ソースコアネットワーク制御プレーンデバイスによって前記サブスクリプションデータをデフォルトコアネットワーク制御プレーンデバイスへ送信して、前記端末デバイスの前記第１のネットワークスライス選択支援情報を要求するステップと、
前記ソースコアネットワーク制御プレーンデバイスによって前記デフォルトコアネットワーク制御プレーンデバイスから前記第１のネットワークスライス選択支援情報を受信するステップとを含む請求項１に記載の方法。
【請求項３】
前記ソースコアネットワーク制御プレーンデバイスが、前記第１のネットワークスライス選択支援情報によってインデックス付けされている前記ターゲットコアネットワーク制御プレーンデバイスを決定することが可能ではない前に、
前記ソースコアネットワーク制御プレーンデバイスによって前記第１のネットワークスライス選択支援情報に基づいて、前記ソースコアネットワーク制御プレーンデバイスが前記端末デバイスにサービス提供し続けることが可能ではないということを決定するステップをさらに含む請求項１または２に記載の方法。
【請求項４】
前記ソースコアネットワーク制御プレーンデバイスによって前記端末デバイスから第２の登録要求メッセージを受信するステップであって、前記第２の登録要求メッセージは、第２のネットワークスライス選択支援情報を搬送し、前記第２のネットワークスライス選択支援情報は、前記ソースコアネットワーク制御プレーンデバイスをインデックス付けするために使用される、ステップ
をさらに含む請求項３に記載の方法。
【請求項５】
前記ソースコアネットワーク制御プレーンデバイスによって前記第１のネットワークスライス選択支援情報に基づいて、前記ソースコアネットワーク制御プレーンデバイスが前記端末デバイスにサービス提供し続けることが可能ではないということを決定する前記ステップは、
前記第１のネットワークスライス選択支援情報に関連付けられているスライスタイプまたはサービスタイプが、前記第２のネットワークスライス選択支援情報に関連付けられているスライスタイプまたはサービスタイプに含まれていないということを前記ソースコアネットワーク制御プレーンデバイスが決定した場合に、前記ソースコアネットワーク制御プレーンデバイスが前記端末デバイスにサービス提供し続けることが可能ではないということを前記ソースコアネットワーク制御プレーンデバイスによって決定するステップを含む請求項４に記載の方法。
【請求項６】
前記ソースコアネットワーク制御プレーンデバイスによって前記端末デバイスの前記一時識別子を無効に設定するステップ
をさらに含む請求項１に記載の方法。
【請求項７】
ソースコアネットワーク制御プレーンデバイスによって端末デバイスの第１のネットワークスライス選択支援情報を入手する前記ステップは、
前記ソースコアネットワーク制御プレーンデバイスによってサブスクライバーデータ管理センターデバイスから前記端末デバイスのサブスクリプションデータを入手するステップと、
前記ソースコアネットワーク制御プレーンデバイスによって前記サブスクリプションデータに基づいて前記第１のネットワークスライス選択支援情報を決定するステップとを含む請求項１に記載の方法。
【請求項８】
前記ソースコアネットワーク制御プレーンデバイスが、前記第１のネットワークスライス選択支援情報によってインデックス付けされているターゲットコアネットワーク制御プレーンデバイスを決定することが可能ではないということは、
前記ソースコアネットワーク制御プレーンデバイスによって前記第１のネットワークスライス選択支援情報をデフォルトコアネットワーク制御プレーンデバイスへ送信して、前記第１のネットワークスライス選択支援情報によってインデックス付けされている前記ターゲットコアネットワーク制御プレーンデバイスを要求するステップを含み、
前記要求が失敗した場合には、前記ソースコアネットワーク制御プレーンデバイスは、前記第１のネットワークスライス選択支援情報によってインデックス付けされている前記ターゲットコアネットワーク制御プレーンデバイスを決定することが可能ではない請求項７に記載の方法。
【請求項９】
前記ソースコアネットワーク制御プレーンデバイスによって前記第１のネットワークスライス選択支援情報および第１の表示情報を前記端末デバイスへ送信する前記ステップの後に、
前記ソースコアネットワーク制御プレーンデバイスによって前記ソースコアネットワーク制御プレーンデバイスから前記端末デバイスを登録解除するステップをさらに含む請求項１乃至８のいずれか一項に記載の方法。
【請求項１０】
前記ソースコアネットワーク制御プレーンデバイスによって前記ソースコアネットワーク制御プレーンデバイスから前記端末デバイスを登録解除する前記ステップは、
前記ソースコアネットワーク制御プレーンデバイス上に格納されている前記端末デバイスのコンテキスト情報を前記ソースコアネットワーク制御プレーンデバイスによって削除するステップを含む請求項９に記載の方法。
【請求項１１】
端末デバイスによってソースコアネットワーク制御プレーンデバイスから第１のネットワークスライス選択支援情報および第１の表示情報を受信するステップであって、前記第１のネットワークスライス選択支援情報は、ターゲットコアネットワーク制御プレーンデバイスをインデックス付けするために使用され、前記第１の表示情報は、前記端末デバイスの一時識別子が無効であるということを示すために使用される、ステップと、
前記端末デバイスによって前記第１のネットワークスライス選択支援情報および前記第１の表示情報に基づいて第１の登録要求メッセージをアクセスネットワークデバイスへ送信するステップと
を含むコアネットワーク制御プレーンデバイス選択方法であって、
前記第１の登録要求メッセージは、前記端末デバイスの前記第１のネットワークスライス選択支援情報および永久識別子を搬送する、コアネットワーク制御プレーンデバイス選択方法。
【請求項１２】
端末デバイスの第１のネットワークスライス選択支援情報を入手するように構成されている入手モジュールと、
ソースコアネットワーク制御プレーンデバイスが、前記第１のネットワークスライス選択支援情報によってインデックス付けされているターゲットコアネットワーク制御プレーンデバイスを決定することが可能ではない場合に、前記第１のネットワークスライス選択支援情報および第１の表示情報を前記端末デバイスへ送信して、第１の登録要求メッセージを送信するように前記端末デバイスをトリガーするように構成されている送信モジュールであって、前記第１の表示情報は、前記端末デバイスの一時識別子が無効であるということを示すために使用され、前記第１の登録要求メッセージは、前記端末デバイスの前記第１のネットワークスライス選択支援情報および永久識別子を搬送する、送信モジュールと
を含むコアネットワーク制御プレーンデバイス選択装置。
【請求項１３】
前記入手モジュールは、
サブスクライバーデータ管理センターデバイスから前記端末デバイスのサブスクリプションデータを入手することと、
前記サブスクリプションデータをデフォルトコアネットワーク制御プレーンデバイスへ送信して、前記端末デバイスの前記第１のネットワークスライス選択支援情報を要求することと、
前記デフォルトコアネットワーク制御プレーンデバイスから前記第１のネットワークスライス選択支援情報を受信することとを行うように特に構成されている請求項１２に記載の装置。
【請求項１４】
前記第１のネットワークスライス選択支援情報に基づいて、前記ソースコアネットワーク制御プレーンデバイスが前記端末デバイスにサービス提供し続けることが可能ではないということを決定するように構成されているサービス検知モジュール
をさらに含む請求項１２または１３に記載の装置。
【請求項１５】
ソースコアネットワーク制御プレーンデバイスから第１のネットワークスライス選択支援情報および第１の表示情報を受信するように構成されている受信モジュールであって、前記第１のネットワークスライス選択支援情報は、ターゲットコアネットワーク制御プレーンデバイスをインデックス付けするために使用され、前記第１の表示情報は、端末デバイスの一時識別子が無効であるということを示すために使用される、受信モジュールと、
前記第１のネットワークスライス選択支援情報および前記第１の表示情報に基づいて第１の登録要求メッセージをアクセスネットワークデバイスへ送信するように構成されている送信モジュールと
を含むコアネットワーク制御プレーンデバイス選択装置であって、
前記第１の登録要求メッセージは、前記端末デバイスの前記第１のネットワークスライス選択支援情報および永久識別子を搬送する、コアネットワーク制御プレーンデバイス選択装置。
【発明の詳細な説明】
【技術分野】
【０００１】
本出願は、通信分野に関連しており、詳細には、コアネットワーク制御プレーンデバイス選択方法および装置に関連している。
【背景技術】
【０００２】
本出願は、２０１７年３月１７日に中国特許庁に出願された「ＣＯＲＥ  ＮＥＴＷＯＲＫ  ＣＯＮＴＲＯＬ  ＰＬＡＮＥ  ＤＥＶＩＣＥ  ＳＥＬＥＣＴＩＯＮ  ＭＥＴＨＯＤ  ＡＮＤ  ＡＰＰＡＲＡＴＵＳ」と題されている中国特許出願第２０１７１０１６２０６９．８号明細書に対する優先権を主張するものであり、この中国特許出願第２０１７１０１６２０６９．８号明細書は、その全体が参照によって本明細書に組み込まれている。
【０００３】
ネットワークスライシングテクノロジーは、仮想化されたネットワーク機能（Ｖｉｒｔｕａｌ  Ｎｅｔｗｏｒｋ  Ｆｕｎｃｔｉｏｎ、ＶＮＦ）を使用することによって同じネットワークインフラストラクチャー上に複数の仮想論理ネットワークスライスを提供するテクノロジーである。さまざまなタイプのネットワークスライスが、機能、パフォーマンス、セキュリティー、オペレーション、およびメンテナンスなどの点でさまざまなネットワーク特徴を有しており、それにより、さまざまなユーザ機器が、それらのユーザ機器の要件に基づいてさまざまなネットワークスライスにアクセスすることが可能であり、それによって、さまざまなサービスのサービス品質要件を確実にする。
【０００４】
ユーザ機器は、ネットワークスライスにアクセスするためには、管理デバイスに登録することを必要とする。通常、ユーザ機器によってアクセスされるソースネットワークスライス、およびユーザ機器が登録を行う先のソース管理デバイスは、ユーザ機器のサブスクリプションデータに基づいて決定される。ユーザ機器のサブスクリプションデータが変化した場合には、ユーザ機器によってアクセスされるソースネットワークスライスは、ユーザ機器の要件を満たさないことがある。このケースにおいては、ユーザ機器は、ユーザ機器の更新されたサブスクリプションデータに基づいてトリガーされて、リダイレクション手順を開始することを必要とし、それによってユーザ機器は、新たなネットワークスライスにおける新たな管理デバイスへリダイレクトされることが可能である。
【０００５】
端末デバイスの前述のリダイレクションプロセスにおいては、ソース管理デバイスが、サブスクリプションデータに基づいてターゲットネットワークスライスにおけるターゲット管理デバイスを決定し得る。ソース管理デバイスは、端末デバイスのコンテキスト情報を格納している。したがって、新たな管理デバイスが、端末デバイスのコンテキストをソース管理デバイスに要求することがある。しかしながら、ソースネットワークスライスおよび新たなネットワークスライスが、互いから分離されることを必要とする場合には、ソースネットワークスライスは、サブスクリプションデータに基づいてターゲットネットワークスライスを決定することが可能ではない場合がある。このケースにおいて、端末デバイスが前述のリダイレクション方法を依然として使用する場合には、新たな管理デバイスは、端末デバイスのコンテキストを入手するためにソース管理デバイスにアクセスして、ソースネットワークスライスと新たなネットワークスライスとの間における分離に影響し、ネットワークスライスのセキュリティーを低減する。
【発明の概要】
【発明が解決しようとする課題】
【０００６】
本出願は、従来の端末デバイスのリダイレクションプロセスにおいてネットワークスライスのセキュリティーが影響されるという問題を解決するために、コアネットワーク制御プレーンデバイス選択方法および装置を提供する。
【課題を解決するための手段】
【０００７】
第１の態様によれば、本出願は、
ソースコアネットワーク制御プレーンデバイスによって端末デバイスの第１のネットワークスライス選択支援情報（ＮＳＳＡＩ）を入手するステップと、
ソースコアネットワーク制御プレーンデバイスが、第１のネットワークスライス選択支援情報によってインデックス付けされているターゲットコアネットワーク制御プレーンデバイスを決定することが可能ではない場合に、ソースコアネットワーク制御プレーンデバイスによって第１のネットワークスライス選択支援情報および第１の表示情報を端末デバイスへ送信して、第１の登録要求メッセージを送信するように端末デバイスをトリガーするステップであって、第１の表示情報は、端末デバイスの一時識別子が無効であるということを示すために使用され、第１の登録要求メッセージは、端末デバイスの第１のネットワークスライス選択支援情報および永久識別子を搬送する、ステップとを含むコアネットワーク制御プレーンデバイス選択方法を提供する。
【０００８】
ソースコアネットワーク制御プレーンデバイスが、ターゲットコアネットワーク制御プレーンデバイスを示す第１のＮＳＳＡＩを受信した後に、ソースコアネットワーク制御プレーンデバイスが、第１のＮＳＳＡＩによってインデックス付けされているターゲットコアネットワーク制御プレーンデバイスを決定することが可能ではない場合に、ソースコアネットワーク制御プレーンデバイスは、端末デバイスの一時識別子が無効であるということを示すために使用される第１の表示情報を端末デバイスへ送信し、それによって端末デバイスは、端末デバイスの第１のＮＳＳＡＩおよび永久識別子を搬送する登録要求メッセージをアクセスネットワークデバイスへ送信する。したがって、ターゲットコアネットワークデバイスが、一時識別子を受信した後に端末デバイスのコンテキスト情報をソースコアネットワーク制御プレーンデバイスに要求することを必要とせず、ソースコアネットワーク制御プレーンデバイスとターゲットコアネットワーク制御プレーンデバイスとの間における情報のやり取りが回避され、ネットワークスライスどうしの間におけるセキュリティーが改善され、端末デバイスをターゲットコアネットワーク制御プレーンデバイスへリダイレクトする手順効率が改善され、シグナリングが節約される。
【０００９】
可能な実施態様においては、ソースコアネットワーク制御プレーンデバイスおよびターゲットコアネットワーク制御プレーンデバイスが、互いから分離されることを必要としているということをソースコアネットワーク制御プレーンデバイスが知った後に、この方法は、
ソースコアネットワーク制御プレーンデバイスによって端末デバイスの一時識別子を無効に設定するステップをさらに含む。
【００１０】
ソースコアネットワーク制御プレーンデバイスは、端末デバイスの一時識別子を無効に設定する。したがって、端末デバイスがその後に登録要求メッセージを開始した場合に、その登録要求メッセージは、もはや端末デバイスの一時識別子を搬送しない。ターゲットコアネットワーク制御プレーンデバイスは、一時識別子に基づいてソースコアネットワーク制御プレーンデバイスのアドレスを入手すること、またはソースコアネットワーク制御プレーンデバイスにアクセスして端末デバイスのコンテキストを入手することを必要とせず、それによってネットワークスライスのセキュリティー分離を改善する。
【００１１】
可能な実施態様においては、ソースコアネットワーク制御プレーンデバイスによって端末デバイスの第１のネットワークスライス選択支援情報を入手するステップは、
ソースコアネットワーク制御プレーンデバイスによってサブスクライバーデータ管理センターデバイスから端末デバイスのサブスクリプションデータを入手するステップと、
ソースコアネットワーク制御プレーンデバイスによってサブスクリプションデータに基づいて第１のネットワークスライス選択支援情報を決定するステップとを含む。
【００１２】
ソースコアネットワーク制御プレーンデバイスは、端末デバイスのサブスクリプションデータに基づいて第１のＮＳＳＡＩを入手することが可能であり、比較的少量のシグナリングしか消費されない。
【００１３】
可能な実施態様においては、ソースコアネットワーク制御プレーンデバイスによって端末デバイスの第１のネットワークスライス選択支援情報を入手するステップは、
ソースコアネットワーク制御プレーンデバイスによってサブスクライバーデータ管理センターデバイスから端末デバイスのサブスクリプションデータを入手するステップと、
ソースコアネットワーク制御プレーンデバイスによってサブスクリプションデータをデフォルトコアネットワーク制御プレーンデバイスへ送信して、端末デバイスの第１のネットワークスライス選択支援情報を要求するステップと、
ソースコアネットワーク制御プレーンデバイスによってデフォルトコアネットワーク制御プレーンデバイスから第１のネットワークスライス選択支援情報を受信するステップとを含む。
【００１４】
ソースコアネットワーク制御プレーンデバイスがサブスクリプションデータに基づいて第１のＮＳＳＡＩを入手することが可能ではない場合には、ソースコアネットワーク制御プレーンデバイスは、サブスクリプションデータをデフォルトコアネットワーク制御プレーンデバイスへ送信し、それによってデフォルトコアネットワーク制御プレーンデバイスは、サブスクリプションデータに基づいて第１のＮＳＳＡＩを入手し、第１のＮＳＳＡＩをソースコアネットワーク制御プレーンデバイスへ送信する。これは、ソースコアネットワーク制御プレーンデバイスがサブスクリプションデータに基づいて第１のＮＳＳＡＩを入手することが可能ではない場合に引き起こされ得る端末デバイスの不成功なリダイレクションの問題を解決する。
【００１５】
可能な実施態様においては、ソースコアネットワーク制御プレーンデバイスが、第１のネットワークスライス選択支援情報によってインデックス付けされているターゲットコアネットワーク制御プレーンデバイスを決定することが可能ではない前に、この方法は、
ソースコアネットワーク制御プレーンデバイスによって第１のネットワークスライス選択支援情報に基づいて、ソースコアネットワーク制御プレーンデバイスが端末デバイスにサービス提供し続けることが可能ではないということを決定するステップをさらに含む。
【００１６】
可能な実施態様においては、この方法は、
ソースコアネットワーク制御プレーンデバイスによって端末デバイスから第２の登録要求メッセージを受信するステップであって、第２の登録要求メッセージは、第２のネットワークスライス選択支援情報を搬送し、第２のネットワークスライス選択支援情報は、ソースコアネットワーク制御プレーンデバイスをインデックス付けするために使用される、ステップをさらに含む。
【００１７】
可能な実施態様においては、ソースコアネットワーク制御プレーンデバイスによって第１のネットワークスライス選択支援情報に基づいて、ソースコアネットワーク制御プレーンデバイスが端末デバイスにサービス提供し続けることが可能ではないということを決定するステップは、
第１のネットワークスライス選択支援情報に関連付けられているスライスタイプまたはサービスタイプが、第２のネットワークスライス選択支援情報に関連付けられているスライスタイプまたはサービスタイプに含まれていないということをソースコアネットワーク制御プレーンデバイスが決定した場合に、ソースコアネットワーク制御プレーンデバイスが端末デバイスにサービス提供し続けることが可能ではないということをソースコアネットワーク制御プレーンデバイスによって決定するステップを含む。
【００１８】
可能な実施態様においては、ソースコアネットワーク制御プレーンデバイスが、第１のネットワークスライス選択支援情報によってインデックス付けされているターゲットコアネットワーク制御プレーンデバイスを決定することが可能ではないということは、
ソースコアネットワーク制御プレーンデバイスによって第１のネットワークスライス選択支援情報をデフォルトコアネットワーク制御プレーンデバイスへ送信して、第１のネットワークスライス選択支援情報によってインデックス付けされているターゲットコアネットワーク制御プレーンデバイスを要求するステップを含み、
要求が失敗した場合には、ソースコアネットワーク制御プレーンデバイスは、第１のネットワークスライス選択支援情報によってインデックス付けされているターゲットコアネットワーク制御プレーンデバイスを決定することが可能ではない。
【００１９】
可能な実施態様においては、ソースコアネットワーク制御プレーンデバイスによって第１のネットワークスライス選択支援情報および第１の表示情報を端末デバイスへ送信するステップの後に、この方法は、
ソースコアネットワーク制御プレーンデバイスによってソースコアネットワーク制御プレーンデバイスから端末デバイスを登録解除するステップをさらに含む。
【００２０】
端末デバイスは、ソースコアネットワーク制御プレーンデバイスから登録解除され、それによってソースコアネットワーク制御プレーンデバイスは、もはや端末デバイスにサービスを提供せず、それにより、別々のネットワークスライスの間におけるサービス対話を回避し、セキュリティーを改善する。
【００２１】
可能な実施態様においては、ソースコアネットワーク制御プレーンデバイスによってソースコアネットワーク制御プレーンデバイスから端末デバイスを登録解除するステップは、
ソースコアネットワーク制御プレーンデバイス上に格納されている端末デバイスのコンテキスト情報をソースコアネットワーク制御プレーンデバイスによって削除するステップを含む。
【００２２】
第２の態様によれば、本出願は、コアネットワーク制御プレーンデバイス選択方法を提供し、この方法は、第１の態様において提供されているコアネットワーク制御プレーンデバイス選択方法に対応する端末デバイス側での方法であり、
端末デバイスによってソースコアネットワーク制御プレーンデバイスから第１のネットワークスライス選択支援情報および第１の表示情報を受信するステップであって、第１のネットワークスライス選択支援情報は、ターゲットコアネットワーク制御プレーンデバイスをインデックス付けするために使用され、第１の表示情報は、端末デバイスの一時識別子が無効であるということを示すために使用される、ステップと、
端末デバイスによって第１のネットワークスライス選択支援情報および第１の表示情報に基づいて第１の登録要求メッセージをアクセスネットワークデバイスへ送信するステップとを含み、
第１の登録要求メッセージは、端末デバイスの第１のネットワークスライス選択支援情報および永久識別子を搬送する。
【００２３】
第３の態様によれば、本出願は、
第１のネットワークスライス選択支援情報が決定されることが可能であるかどうかをソースコアネットワーク制御プレーンデバイスによって決定するステップであって、第１のネットワークスライス選択支援情報は、ターゲットコアネットワーク制御プレーンデバイスをインデックス付けするために使用される、ステップと、
ソースコアネットワーク制御プレーンデバイスが第１のネットワークスライス選択支援情報を決定することが可能ではない場合に、ソースコアネットワーク制御プレーンデバイスによって第３のネットワークスライス選択支援情報および第１の表示情報を端末デバイスへ送信して、第３の登録要求メッセージを送信するように端末デバイスをトリガーするステップであって、第１の表示情報は、端末デバイスの一時識別子が無効であるということを示すために使用され、第３のネットワークスライス選択支援情報は、デフォルトコアネットワーク制御プレーンデバイスをインデックス付けするために使用され、第３の登録要求メッセージは、端末デバイスの第３のネットワークスライス選択支援情報および永久識別子を搬送する、ステップとを含むコアネットワーク制御プレーンデバイス選択方法を提供する。
【００２４】
可能な実施態様においては、ソースコアネットワーク制御プレーンデバイスによって第３のネットワークスライス選択支援情報および第１の表示情報を端末デバイスへ送信するステップの後に、この方法は、
ソースコアネットワーク制御プレーンデバイスによって端末デバイスの一時識別子を無効に設定するステップをさらに含む。
【００２５】
可能な実施態様においては、ソースコアネットワーク制御プレーンデバイスによって第３のネットワークスライス選択支援情報および第１の表示情報を端末デバイスへ送信するステップの後に、この方法は、
ソースコアネットワーク制御プレーンデバイスによってソースコアネットワーク制御プレーンデバイスから端末デバイスを登録解除するステップをさらに含む。
【００２６】
第４の態様によれば、本出願は、コアネットワーク制御プレーンデバイス選択方法を提供し、この方法は、第３の態様において提供されているコアネットワーク制御プレーンデバイス選択方法に対応する端末デバイス側での方法であり、
端末デバイスによってソースコアネットワーク制御プレーンデバイスから第３のネットワークスライス選択支援情報および第１の表示情報を受信するステップであって、第３のネットワークスライス選択支援情報は、デフォルトコアネットワーク制御プレーンデバイスをインデックス付けするために使用され、第１の表示情報は、端末デバイスの一時識別子が無効であるということを示すために使用される、ステップと、
端末デバイスによって第３のネットワークスライス選択支援情報および第１の表示情報に基づいて第３の登録要求メッセージをアクセスネットワークデバイスへ送信するステップとを含み、
第３の登録要求メッセージは、端末デバイスの第３のネットワークスライス選択支援情報および永久識別子を搬送する。
【００２７】
第５の態様によれば、本出願は、コアネットワーク制御プレーンデバイス選択方法を提供し、この方法は、第３の態様において提供されているコアネットワーク制御プレーンデバイス選択方法に対応するデフォルトコアネットワーク制御プレーンデバイス側での方法であり、
デフォルトコアネットワーク制御プレーンデバイスによってアクセスネットワークデバイスから第３の登録要求メッセージを受信するステップであって、第３の登録要求メッセージは、端末デバイスの永久識別子を搬送する、ステップと、
デフォルトコアネットワーク制御プレーンデバイスによって永久識別子に基づいてサブスクライバーデータ管理センターデバイスから端末デバイスのサブスクリプションデータを入手するステップと、
デフォルトコアネットワーク制御プレーンデバイスによってサブスクリプションデータに基づいて端末デバイスのターゲットコアネットワーク制御プレーンデバイスを決定するステップと、
デフォルトコアネットワーク制御プレーンデバイスによって端末デバイスをターゲットコアネットワーク制御プレーンデバイスへリダイレクトするステップとを含む。
【００２８】
可能な実施態様においては、デフォルトコアネットワーク制御プレーンデバイスによって端末デバイスをターゲットコアネットワーク制御プレーンデバイスへリダイレクトするステップは、
デフォルトコアネットワーク制御プレーンデバイスによって第１のリダイレクション表示メッセージをアクセスネットワークデバイスへ送信するステップであって、第１のリダイレクション表示メッセージは、端末デバイスをターゲットコアネットワーク制御プレーンデバイスへリダイレクトするようにアクセスネットワークデバイスをトリガーするために使用される、ステップ、または
デフォルトコアネットワーク制御プレーンデバイスによって第２のリダイレクション表示メッセージをターゲットコアネットワーク制御プレーンデバイスへ送信するステップであって、第２のリダイレクション表示メッセージは、端末デバイスのリダイレクションを完遂するようにターゲットコアネットワーク制御プレーンデバイスをトリガーするために使用される、ステップを含む。
【００２９】
本出願の第６の態様から第１０の態様は、第１から第５の態様におけるコアネットワーク制御プレーンデバイス選択方法を実行するようにそれぞれ構成されているコアネットワーク制御プレーンデバイスおよび端末デバイスをさらに提供する。このコアネットワーク制御プレーンデバイスおよび端末デバイスは、コアネットワーク制御プレーンデバイス選択方法と同じ技術的な特徴および同じ技術的な効果を有しており、詳細が本出願において再び記述されることはない。
【００３０】
第６の態様によれば、本出願は、コアネットワーク制御プレーンデバイスを提供し、このデバイスは、ソースコアネットワーク制御プレーンデバイスとしての役割を果たし、第１の態様におけるコアネットワーク制御プレーンデバイス選択方法を実行するように構成されており、
端末デバイスの第１のネットワークスライス選択支援情報を入手するように構成されている入手モジュールと、
ソースコアネットワーク制御プレーンデバイスが、第１のネットワークスライス選択支援情報によってインデックス付けされているターゲットコアネットワーク制御プレーンデバイスを決定することが可能ではない場合に、ソースコアネットワーク制御プレーンデバイスによって第１のネットワークスライス選択支援情報および第１の表示情報を端末デバイスへ送信して、第１の登録要求メッセージを送信するように端末デバイスをトリガーするように構成されている送信モジュールであって、第１の表示情報は、端末デバイスの一時識別子が無効であるということを示すために使用され、第１の登録要求メッセージは、端末デバイスの第１のネットワークスライス選択支援情報および永久識別子を搬送する、送信モジュールとを含む。
【００３１】
可能な実施態様においては、このコアネットワーク制御プレーンデバイスは、
端末デバイスの一時識別子を無効に設定するように構成されている一時識別子設定モジュールをさらに含む。
【００３２】
可能な実施態様においては、入手モジュールは、
サブスクライバーデータ管理センターデバイスから端末デバイスのサブスクリプションデータを入手することと、
サブスクリプションデータに基づいて第１のネットワークスライス選択支援情報を決定することとを行うように特に構成されている。
【００３３】
可能な実施態様においては、入手モジュールは、
サブスクライバーデータ管理センターデバイスから端末デバイスのサブスクリプションデータを入手することと、
サブスクリプションデータをデフォルトコアネットワーク制御プレーンデバイスへ送信して、端末デバイスの第１のネットワークスライス選択支援情報を要求することと、
デフォルトコアネットワーク制御プレーンデバイスから第１のネットワークスライス選択支援情報を受信することとを行うように特に構成されている。
【００３４】
可能な実施態様においては、このコアネットワーク制御プレーンデバイスは、
第１のネットワークスライス選択支援情報に基づいて、ソースコアネットワーク制御プレーンデバイスが端末デバイスにサービス提供し続けることが可能ではないということを決定するように構成されているサービス検知モジュールをさらに含む。
【００３５】
可能な実施態様においては、このコアネットワーク制御プレーンデバイスは、
端末デバイスから第２の登録要求メッセージを受信するように構成されている受信モジュールであって、第２の登録要求メッセージは、第２のネットワークスライス選択支援情報を搬送し、第２のネットワークスライス選択支援情報は、ソースコアネットワーク制御プレーンデバイスをインデックス付けするために使用される、受信モジュールをさらに含み、
サービス検知モジュールは、第１のネットワークスライス選択支援情報に関連付けられているスライスタイプまたはサービスタイプが、第２のネットワークスライス選択支援情報に関連付けられているスライスタイプまたはサービスタイプに含まれていないということが決定された場合に、ソースコアネットワーク制御プレーンデバイスが端末デバイスにサービス提供し続けることが可能ではないということを決定するように特に構成されている。
【００３６】
可能な実施態様においては、このコアネットワーク制御プレーンデバイスは、
第１のネットワークスライス選択支援情報をデフォルトコアネットワーク制御プレーンデバイスへ送信して、第１のネットワークスライス選択支援情報によってインデックス付けされているターゲットコアネットワーク制御プレーンデバイスを要求するように構成されているターゲットコアネットワーク制御プレーンデバイス入手モジュールをさらに含み、
要求が失敗した場合には、ソースコアネットワーク制御プレーンデバイスが、第１のネットワークスライス選択支援情報によってインデックス付けされているターゲットコアネットワーク制御プレーンデバイスを決定することが可能ではないということが決定される。
【００３７】
可能な実施態様においては、このコアネットワーク制御プレーンデバイスは、
ソースコアネットワーク制御プレーンデバイスから端末デバイスを登録解除するように構成されている登録解除モジュールをさらに含む。
【００３８】
可能な実施態様においては、登録解除モジュールは、ソースコアネットワーク制御プレーンデバイス上に格納されている端末デバイスのコンテキスト情報を削除するように特に構成されている。
【００３９】
第７の態様によれば、本出願は、端末デバイスを提供し、このデバイスは、第２の態様におけるコアネットワーク制御プレーンデバイス選択方法を実行するように構成されており、
ソースコアネットワーク制御プレーンデバイスから第１のネットワークスライス選択支援情報および第１の表示情報を受信するように構成されている受信モジュールであって、第１のネットワークスライス選択支援情報は、ターゲットコアネットワーク制御プレーンデバイスをインデックス付けするために使用され、第１の表示情報は、端末デバイスの一時識別子が無効であるということを示すために使用される、受信モジュールと、
第１のネットワークスライス選択支援情報および第１の表示情報に基づいて第１の登録要求メッセージをアクセスネットワークデバイスへ送信するように構成されている送信モジュールとを含み、
第１の登録要求メッセージは、端末デバイスの第１のネットワークスライス選択支援情報および永久識別子を搬送する。
【００４０】
第８の態様によれば、本出願は、コアネットワーク制御プレーンデバイスを提供し、このデバイスは、ソースコアネットワーク制御プレーンデバイスとしての役割を果たし、第３の態様におけるコアネットワーク制御プレーンデバイス選択方法を実行するように構成されており、
第１のネットワークスライス選択支援情報が決定されることが可能であるかどうかを決定するように構成されている決定モジュールであって、第１のネットワークスライス選択支援情報は、ターゲットコアネットワーク制御プレーンデバイスをインデックス付けするために使用される、決定モジュールと、
ソースコアネットワーク制御プレーンデバイスが第１のネットワークスライス選択支援情報を決定することが可能ではない場合に、第３のネットワークスライス選択支援情報および第１の表示情報を端末デバイスへ送信して、第３の登録要求メッセージを送信するように端末デバイスをトリガーするように構成されている送信モジュールであって、第１の表示情報は、端末デバイスの一時識別子が無効であるということを示すために使用され、第３のネットワークスライス選択支援情報は、デフォルトコアネットワーク制御プレーンデバイスをインデックス付けするために使用され、第３の登録要求メッセージは、端末デバイスの第３のネットワークスライス選択支援情報および永久識別子を搬送する、送信モジュールとを含む。
【００４１】
可能な実施態様においては、このコアネットワーク制御プレーンデバイスは、
端末デバイスの一時識別子を無効に設定するように構成されている一時識別子設定モジュールをさらに含む。
【００４２】
可能な実施態様においては、このコアネットワーク制御プレーンデバイスは、
ソースコアネットワーク制御プレーンデバイスから端末デバイスを登録解除するように構成されている登録解除モジュールをさらに含む。
【００４３】
第９の態様によれば、本出願は、端末デバイスを提供し、このデバイスは、第４の態様におけるコアネットワーク制御プレーンデバイス選択方法を実行するように構成されており、
ソースコアネットワーク制御プレーンデバイスから第３のネットワークスライス選択支援情報および第１の表示情報を受信するように構成されている受信モジュールであって、第３のネットワークスライス選択支援情報は、デフォルトコアネットワーク制御プレーンデバイスをインデックス付けするために使用され、第１の表示情報は、端末デバイスの一時識別子が無効であるということを示すために使用される、受信モジュールと、
第３のネットワークスライス選択支援情報および第１の表示情報に基づいて第３の登録要求メッセージをアクセスネットワークデバイスへ送信するように構成されている送信モジュールとを含み、
第３の登録要求メッセージは、端末デバイスの第３のネットワークスライス選択支援情報および永久識別子を搬送する。
【００４４】
第１０の態様によれば、本出願は、コアネットワーク制御プレーンデバイスを提供し、このデバイスは、デフォルトコアネットワーク制御プレーンデバイスとしての役割を果たし、第５の態様におけるコアネットワーク制御プレーンデバイス選択方法を実行するように構成されており、
アクセスネットワークデバイスから第３の登録要求メッセージを受信するように構成されている受信モジュールであって、第３の登録要求メッセージは、端末デバイスの永久識別子を搬送する、受信モジュールと、
永久識別子に基づいてサブスクライバーデータ管理センターデバイスから端末デバイスのサブスクリプションデータを入手するように構成されているサブスクリプションデータ入手モジュールと、
サブスクリプションデータに基づいて端末デバイスのターゲットコアネットワーク制御プレーンデバイスを決定するように構成されているターゲットコアネットワーク制御プレーンデバイス入手モジュールと、
端末デバイスをターゲットコアネットワーク制御プレーンデバイスへリダイレクトするように構成されているリダイレクションモジュールとを含む。
【００４５】
可能な実施態様においては、リダイレクションモジュールは、
第１のリダイレクション表示メッセージをアクセスネットワークデバイスへ送信することであって、第１のリダイレクション表示メッセージは、端末デバイスをターゲットコアネットワーク制御プレーンデバイスへリダイレクトするようにアクセスネットワークデバイスをトリガーするために使用される、送信すること、または第２のリダイレクション表示メッセージをターゲットコアネットワーク制御プレーンデバイスへ送信することであって、第２のリダイレクション表示メッセージは、端末デバイスのリダイレクションを完遂するようにターゲットコアネットワーク制御プレーンデバイスをトリガーするために使用される、送信することを行うように構成されている送信ユニットをさらに含む。
【００４６】
本出願は、第１から第５の態様におけるコアネットワーク制御プレーンデバイス選択方法を実行するように構成されているコアネットワーク制御プレーンデバイス、アクセスネットワークデバイス、および端末デバイスをさらに提供する。このコアネットワーク制御プレーンデバイス、アクセスネットワークデバイス、および端末デバイスは、コアネットワーク制御プレーンデバイス選択方法と同じ技術的な特徴および同じ技術的な効果を有しており、詳細が本出願において再び記述されることはない。
【００４７】
第１１の態様によれば、本出願は、コアネットワーク制御プレーンデバイスを提供し、このデバイスは、第１のコアネットワーク制御プレーンデバイスとしての役割を果たし、第１の態様におけるコアネットワーク制御プレーンデバイス選択方法を実行するように構成されており、
端末デバイスの第１のネットワークスライス選択支援情報を入手するように構成されているプロセッサと、
第１のコアネットワーク制御プレーンデバイスが、第１のネットワークスライス選択支援情報によってインデックス付けされている第２のコアネットワーク制御プレーンデバイスを決定することが可能ではない場合に、第１のコアネットワーク制御プレーンデバイスによって、第１のネットワークスライス選択支援情報および第１の表示情報を端末デバイスへ送信して、第１の登録要求メッセージを送信するように端末デバイスをトリガーするように構成されている送信機であって、第１の表示情報は、端末デバイスの一時識別子が無効であるということを示すために使用され、第１の登録要求メッセージは、端末デバイスの第１のネットワークスライス選択支援情報および永久識別子を搬送する、送信機とを含む。
【００４８】
可能な実施態様においては、プロセッサは、端末デバイスの一時識別子を無効に設定するようにさらに構成されている。
【００４９】
可能な実施態様においては、プロセッサは、
サブスクライバーデータ管理センターデバイスから端末デバイスのサブスクリプションデータを入手することと、
サブスクリプションデータに基づいて第１のネットワークスライス選択支援情報を決定することとを行うように特に構成されている。
【００５０】
可能な実施態様においては、プロセッサは、サブスクライバーデータ管理センターデバイスから端末デバイスのサブスクリプションデータを入手するように特に構成されており、
送信機は、サブスクリプションデータを第３のコアネットワーク制御プレーンデバイスへ送信して、端末デバイスの第１のネットワークスライス選択支援情報を要求するようにさらに構成されており、
第１のコアネットワーク制御プレーンデバイスは、受信機をさらに含み、
受信機は、第３のコアネットワーク制御プレーンデバイスから第１のネットワークスライス選択支援情報を受信するように構成されている。
【００５１】
可能な実施態様においては、プロセッサは、
第１のネットワークスライス選択支援情報に基づいて、第１のコアネットワーク制御プレーンデバイスが端末デバイスにサービス提供し続けることが可能ではないということを決定するように特に構成されている。
【００５２】
可能な実施態様においては、受信機は、
端末デバイスから第２の登録要求メッセージを受信するようにさらに構成されており、第２の登録要求メッセージは、第２のネットワークスライス選択支援情報を搬送し、第２のネットワークスライス選択支援情報は、第１のコアネットワーク制御プレーンデバイスをインデックス付けするために使用される。
【００５３】
可能な実施態様においては、プロセッサは、
第１のネットワークスライス選択支援情報に関連付けられているスライスタイプまたはサービスタイプが、第２のネットワークスライス選択支援情報に関連付けられているスライスタイプまたはサービスタイプに含まれていないということが決定された場合に、第１のコアネットワーク制御プレーンデバイスが端末デバイスにサービス提供し続けることが可能ではないということを決定するようにさらに構成されている。
【００５４】
可能な実施態様においては、送信機は、
第１のネットワークスライス選択支援情報を第３のコアネットワーク制御プレーンデバイスへ送信して、第１のネットワークスライス選択支援情報によってインデックス付けされている第２のコアネットワーク制御プレーンデバイスを要求するようにさらに構成されており、
プロセッサは、要求が失敗した場合には、第１のコアネットワーク制御プレーンデバイスが、第１のネットワークスライス選択支援情報によってインデックス付けされている第２のコアネットワーク制御プレーンデバイスを決定することが可能ではないということを決定するようにさらに構成されている。
【００５５】
可能な実施態様においては、プロセッサは、
第１のコアネットワーク制御プレーンデバイスから端末デバイスを登録解除するようにさらに構成されている。
【００５６】
可能な実施態様においては、プロセッサは、第１のコアネットワーク制御プレーンデバイス上に格納されている端末デバイスのコンテキスト情報を削除するように特に構成されている。
【００５７】
第１２の態様によれば、本出願は、端末デバイスを提供し、このデバイスは、第２の態様におけるコアネットワーク制御プレーンデバイス選択方法を実行するように構成されており、
第１のコアネットワーク制御プレーンデバイスから第１のネットワークスライス選択支援情報および第１の表示情報を受信するように構成されている受信機であって、第１のネットワークスライス選択支援情報は、第２のコアネットワーク制御プレーンデバイスをインデックス付けするために使用され、第１の表示情報は、端末デバイスの一時識別子が無効であるということを示すために使用される、受信機と、
第１のネットワークスライス選択支援情報および第１の表示情報に基づいて第１の登録要求メッセージをアクセスネットワークデバイスへ送信するように構成されている送信機とを含み、
第１の登録要求メッセージは、端末デバイスの第１のネットワークスライス選択支援情報および永久識別子を搬送する。
【００５８】
第１３の態様によれば、本出願は、コアネットワーク制御プレーンデバイスを提供し、このデバイスは、第４のコアネットワーク制御プレーンデバイスとしての役割を果たし、第３の態様におけるコアネットワーク制御プレーンデバイス選択方法を実行するように構成されており、
第１のネットワークスライス選択支援情報が決定されることが可能であるかどうかを決定するように構成されているプロセッサであって、第１のネットワークスライス選択支援情報は、第５のコアネットワーク制御プレーンデバイスをインデックス付けするために使用される、プロセッサと、
第４のコアネットワーク制御プレーンデバイスが第１のネットワークスライス選択支援情報を決定することが可能ではない場合に、第３のネットワークスライス選択支援情報および第１の表示情報を端末デバイスへ送信して、第３の登録要求メッセージを送信するように端末デバイスをトリガーするように構成されている送信機であって、第１の表示情報は、端末デバイスの一時識別子が無効であるということを示すために使用され、第３のネットワークスライス選択支援情報は、第６のコアネットワーク制御プレーンデバイスをインデックス付けするために使用され、第３の登録要求メッセージは、端末デバイスの第３のネットワークスライス選択支援情報および永久識別子を搬送する、送信機とを含む。
【００５９】
可能な実施態様においては、プロセッサは、
端末デバイスの一時識別子を無効に設定するようにさらに構成されている。
【００６０】
可能な実施態様においては、プロセッサは、第４のコアネットワーク制御プレーンデバイスから端末デバイスを登録解除するようにさらに構成されている。
【００６１】
第１４の態様によれば、本出願は、端末デバイスを提供し、このデバイスは、第４の態様におけるコアネットワーク制御プレーンデバイス選択方法を実行するように構成されており、
第４のコアネットワーク制御プレーンデバイスから第３のネットワークスライス選択支援情報および第１の表示情報を受信するように構成されている受信機であって、第３のネットワークスライス選択支援情報は、第６のコアネットワーク制御プレーンデバイスをインデックス付けするために使用され、第１の表示情報は、端末デバイスの一時識別子が無効であるということを示すために使用される、受信機と、
第３のネットワークスライス選択支援情報および第１の表示情報に基づいて第３の登録要求メッセージをアクセスネットワークデバイスへ送信するように構成されている送信機とを含み、
第３の登録要求メッセージは、端末デバイスの第３のネットワークスライス選択支援情報および永久識別子を搬送する。
【００６２】
第１５の態様によれば、本出願は、コアネットワーク制御プレーンデバイスを提供し、このデバイスは、第６のコアネットワーク制御プレーンデバイスとしての役割を果たし、第５の態様におけるコアネットワーク制御プレーンデバイス選択方法を実行するように構成されており、
アクセスネットワークデバイスから第３の登録要求メッセージを受信するように構成されている受信機であって、第３の登録要求メッセージは、端末デバイスの永久識別子を搬送する、受信機と、
永久識別子に基づいてサブスクライバーデータ管理センターデバイスから端末デバイスのサブスクリプションデータを入手するように構成されているプロセッサとを含み、
プロセッサは、サブスクリプションデータに基づいて端末デバイスの第５のコアネットワーク制御プレーンデバイスを決定するようにさらに構成されており、
プロセッサは、端末デバイスを第５のコアネットワーク制御プレーンデバイスへリダイレクトするようにさらに構成されている。
【００６３】
可能な実施態様においては、このコアネットワーク制御プレーンデバイスは、
第１のリダイレクション表示メッセージをアクセスネットワークデバイスへ送信することであって、第１のリダイレクション表示メッセージは、端末デバイスを第５のコアネットワーク制御プレーンデバイスへリダイレクトするようにアクセスネットワークデバイスをトリガーするために使用される、送信すること、または
第２のリダイレクション表示メッセージを第５のコアネットワーク制御プレーンデバイスへ送信することであって、第２のリダイレクション表示メッセージは、端末デバイスのリダイレクションを完遂するように第５のコアネットワーク制御プレーンデバイスをトリガーするために使用される、送信することを行うように構成されている送信機をさらに含む。
【００６４】
第１６の態様によれば、本出願の実施形態は、プログラムを提供する。このプログラムは、プロセッサによって実行されたときに、第１の態様における方法を実行するように構成されている。
【００６５】
第１７の態様によれば、本出願の実施形態は、第１６の態様におけるプログラムを含むプログラム製品、たとえば、コンピュータ可読ストレージメディアを提供する。
【００６６】
第１８の態様によれば、本出願の実施形態は、コンピュータ可読ストレージメディアを提供する。このコンピュータ可読ストレージメディアは、命令を格納している。その命令がコンピュータ上で稼働されたときに、その命令は、第１の態様における方法をそのコンピュータに実行させる。
【００６７】
第１９の態様によれば、本出願の実施形態は、プログラムを提供する。このプログラムは、プロセッサによって実行されたときに、第２の態様における方法を実行するように構成されている。
【００６８】
第２０の態様によれば、本出願の実施形態は、第１９の態様におけるプログラムを含むプログラム製品、たとえば、コンピュータ可読ストレージメディアを提供する。
【００６９】
第２１の態様によれば、本出願の実施形態は、コンピュータ可読ストレージメディアを提供する。このコンピュータ可読ストレージメディアは、命令を格納している。その命令がコンピュータ上で稼働されたときに、その命令は、第２の態様における方法をそのコンピュータに実行させる。
【００７０】
第２２の態様によれば、本出願の実施形態は、プログラムを提供する。このプログラムは、プロセッサによって実行されたときに、第３の態様における方法を実行するように構成されている。
【００７１】
第２３の態様によれば、本出願の実施形態は、第２２の態様におけるプログラムを含むプログラム製品、たとえば、コンピュータ可読ストレージメディアを提供する。
【００７２】
第２４の態様によれば、本出願の実施形態は、コンピュータ可読ストレージメディアを提供する。このコンピュータ可読ストレージメディアは、命令を格納している。その命令がコンピュータ上で稼働されたときに、その命令は、第３の態様における方法をそのコンピュータに実行させる。
【００７３】
第２５の態様によれば、本出願の実施形態は、プログラムを提供する。このプログラムは、プロセッサによって実行されたときに、第４の態様における方法を実行するように構成されている。
【００７４】
第２６の態様によれば、本出願の実施形態は、第２５の態様におけるプログラムを含むプログラム製品、たとえば、コンピュータ可読ストレージメディアを提供する。
【００７５】
第２７の態様によれば、本出願の実施形態は、コンピュータ可読ストレージメディアを提供する。このコンピュータ可読ストレージメディアは、命令を格納している。その命令がコンピュータ上で稼働されたときに、その命令は、第４の態様における方法をそのコンピュータに実行させる。
【００７６】
第２８の態様によれば、本出願の実施形態は、プログラムを提供する。このプログラムは、プロセッサによって実行されたときに、第５の態様における方法を実行するように構成されている。
【００７７】
第２９の態様によれば、本出願の実施形態は、第２８の態様におけるプログラムを含むプログラム製品、たとえば、コンピュータ可読ストレージメディアを提供する。
【００７８】
第３０の態様によれば、本出願の実施形態は、コンピュータ可読ストレージメディアを提供する。このコンピュータ可読ストレージメディアは、命令を格納している。その命令がコンピュータ上で稼働されたときに、その命令は、第５の態様における方法をそのコンピュータに実行させる。
【００７９】
第３１の態様によれば、本出願の実施形態は、プログラムを提供する。このプログラムは、プロセッサによって実行されたときに、第６の態様における方法を実行するように構成されている。
【００８０】
第３２の態様によれば、本出願の実施形態は、第３１の態様におけるプログラムを含むプログラム製品、たとえば、コンピュータ可読ストレージメディアを提供する。
【００８１】
第３３の態様によれば、本出願の実施形態は、コンピュータ可読ストレージメディアを提供する。このコンピュータ可読ストレージメディアは、命令を格納している。その命令がコンピュータ上で稼働されたときに、その命令は、第６の態様における方法をそのコンピュータに実行させる。
【図面の簡単な説明】
【００８２】
【図１】本出願の実施形態に適用可能なシステムアーキテクチャーを示す図である。
【図２】本出願の実施形態によるコアネットワーク制御プレーンデバイス選択方法におけるシグナリング対話の図である。
【図３】本出願の実施形態によるコアネットワーク制御プレーンデバイス選択方法におけるシグナリング対話の図である。
【図４】本出願の実施形態によるコアネットワーク制御プレーンデバイス選択方法におけるシグナリング対話の図である。
【図５】本出願の実施形態によるコアネットワーク制御プレーンデバイス選択方法におけるシグナリング対話の図である。
【図６】本出願の実施形態によるコアネットワーク制御プレーンデバイスの概略構造図である。
【図７】本出願の別の実施形態によるコアネットワーク制御プレーンデバイスの概略構造図である。
【図８】本出願の実施形態による端末デバイスの概略構造図である。
【図９】本出願の実施形態によるコアネットワーク制御プレーンデバイスの概略構造図である。
【図１０】本出願の実施形態による端末デバイスの概略構造図である。
【図１１】本出願の実施形態によるコアネットワーク制御プレーンデバイスの概略構造図である。
【図１２】本出願の実施形態によるコアネットワーク制御プレーンデバイスの概略構造図である。
【図１３】本出願の実施形態による端末デバイスの概略構造図である。
【図１４】本出願の実施形態によるコアネットワーク制御プレーンデバイスの概略構造図である。
【図１５】本出願の実施形態による端末デバイスの概略構造図である。
【図１６】本出願の実施形態によるコアネットワーク制御プレーンデバイスの概略構造図である。
【発明を実施するための形態】
【００８３】
本出願におけるネットワークアーキテクチャーおよびサービスシナリオは、本出願の技術的なソリューションをより明確に記述することを意図されており、本出願において提供されている技術的なソリューションに関する限定を構成するものではない。当技術分野における標準的な技術者なら、ネットワークアーキテクチャーの進化および新たなサービスシナリオの台頭に伴って、本出願において提供されている技術的なソリューションも、同様の技術的な問題に適用可能であるということをわかり得る。
【００８４】
本出願の実施形態に適用可能なシステムアーキテクチャーが、以降で図１を参照しながら記述されている。図１は、本出願の実施形態に適用可能なシステムアーキテクチャーを示している。図１において示されているように、これらの実施形態において提供されているシステムアーキテクチャーは、少なくとも１つの端末デバイスと、少なくとも１つのアクセスネットワークデバイスと、少なくとも１つのコアネットワーク制御プレーンデバイスと、少なくとも１つのデフォルトコアネットワーク制御プレーンデバイスと、少なくとも１つのサブスクライバーデータ管理センターデバイスとを含む。
【００８５】
通信システムにおいて、ネットワークパフォーマンス上のさまざまなサービスのさまざまな要件を満たすために、ネットワークは、要件に基づいてネットワーク機能を結集する能力を有すること、およびさまざまな機能を有するネットワークスライスを実施できることを必要とする。仮想化テクノロジーを使用することによってさまざまなタイプのサービスのためにさまざまなネットワークスライスをセットアップするという通信システムに関する開発傾向がある。それぞれのネットワークスライスは、統合されたネットワークとみなされ得、さまざまなタイプのサービスに対応するネットワークスライスは、さまざまなネットワーク形態を使用し得る。たとえば、サービス特徴によりよくマッチするために、さまざまなプロトコルスタック構造が、データプレーンまたはシグナリングプレーンにおいて使用される。ネットワークスライスどうしは、データプレーンにおいて区別され、共通の制御プレーン機能を共有する。ネットワークスライスは、１つまたは複数のネットワーク機能のグループと、これらのネットワーク機能を稼働させることが可能であるリソースとを含む。
【００８６】
ネットワークスライスがコアネットワークにおいて展開されて、端末デバイスが最初にそのネットワークにアクセスしたときに、ネットワークスライス選択プロセスがトリガーされる。ネットワークスライス選択プロセスは、端末デバイスのサブスクリプションデータ、ローカル構成情報、ローミング契約、オペレータポリシーなどに依存する。端末デバイスは、１つのネットワークスライスまたは複数のネットワークスライスにアクセスし得る。複数のネットワークスライスは、いくつかの制御プレーン機能を共有し得、機能、たとえば、モビリティー管理を端末の粒度で実施し得る。端末デバイスがネットワークスライスにアクセスすることを必要とする場合には、端末デバイスは、ネットワークスライス選択支援情報（Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ、ＮＳＳＡＩ）をコアネットワークに提供し得、それによってコアネットワークは、端末デバイスのためのネットワークスライスインスタンスを選択する。
【００８７】
端末デバイスは、アクセスネットワークデバイスを使用することによってコアネットワークと通信する。端末デバイスは、ワイヤレス端末または有線端末であり得る。ワイヤレス端末は、音声および／もしくはその他のサービスデータの接続性をユーザに提供するデバイス、ワイヤレス接続機能を有するハンドヘルドデバイス、またはワイヤレスモデムに接続されている別の処理デバイスであり得る。ワイヤレス端末は、無線アクセスネットワーク（Ｒａｄｉｏ  Ａｃｃｅｓｓ  Ｎｅｔｗｏｒｋ、ＲＡＮ）を通じて１つまたは複数のコアネットワークと通信し得る。ワイヤレス端末は、モバイル電話（「セルラー」電話とも呼ばれる）などのモバイル端末であり得、モバイル端末を有するコンピュータは、たとえば、無線アクセスネットワークとの間で音声および／またはデータをやり取りする、ポータブルな、ポケットサイズの、ハンドヘルドの、コンピュータ内蔵の、または車載のモバイル装置であり得る。たとえば、ワイヤレス端末は、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、略してＳＩＰ）電話、ワイヤレスローカルループ（Ｗｉｒｅｌｅｓｓ  Ｌｏｃａｌ  Ｌｏｏｐ、ＷＬＬ）ステーション、または携帯情報端末（Ｐｅｒｓｏｎａｌ  Ｄｉｇｉｔａｌ  Ａｓｓｉｓｔａｎｔ、ＰＤＡ）などのデバイスであり得る。ワイヤレス端末は、システム、サブスクライバーユニット（Ｓｕｂｓｃｒｉｂｅｒ  Ｕｎｉｔ）、サブスクライバーステーション（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、またはステーション（Ｓｔａｔｉｏｎ、ＳＴＡ）とも呼ばれ得る。これは、本明細書においては限定されない。図１は、端末デバイスがモバイル電話である例を使用することによる可能な概略図である。
【００８８】
アクセスネットワークデバイスは、ネットワークアクセスサービスを提供するためのデバイスであり、端末デバイスが、アクセスネットワークデバイスを使用することによってワイヤレスネットワークにアクセスすることを可能にし得る。端末デバイスは、アクセスネットワークデバイスを使用することによってコアネットワークと通信する。アクセスネットワークデバイスは、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）もしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）におけるベーストランシーバステーション（Ｂａｓｅ  Ｔｒａｎｓｃｅｉｖｅｒ  Ｓｔａｔｉｏｎ、略してＢＴＳ）であり得、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）におけるノードＢ（ＮｏｄｅＢ、ＮＢ）であり得、ロングタームエボリューション（Ｌｏｎｇ  Ｔｅｒｍ  Ｅｖｏｌｕｔｉｏｎ、ＬＴＥ）におけるエボルブドノードＢ（Ｅｖｏｌｕｔｉｏｎａｌ  Ｎｏｄｅ  Ｂ、ｅＮＢもしくはｅＮｏｄｅＢ）、中継局、アクセスポイント（Ａｃｃｅｓｓ  Ｐｏｉｎｔ、ＡＰ）、もしくは無線アクセスネットワーク（Ｒａｄｉｏ  Ａｃｃｅｓｓ  Ｎｅｔｗｏｒｋ、ＲＡＮ）であり得、または将来の５Ｇネットワークにおける基地局であり得る。これは、本明細書においては限定されない。図１は、アクセスネットワークデバイスが基地局である例を使用することによる可能な概略図である。
【００８９】
コアネットワーク制御プレーンデバイスは、端末デバイスにサービスを提供するためのデバイスであり、主としてモビリティー管理機能を含む。たとえば、モビリティー管理機能は、モバイル状態管理機能、ユーザ一時識別子割り当て機能、ならびにユーザ認証および承認機能を含む。１つのコアネットワーク制御プレーンデバイスが、１つまたは複数のネットワークスライスに関連付けられており、言い換えれば、複数のネットワークスライスが、１つのコアネットワーク制御プレーンデバイスを共有している。端末デバイスは、特定のネットワークスライスにアクセスするために特定のコアネットワーク制御プレーンデバイスに登録する。コアネットワーク制御プレーンデバイスは、アクセスおよびモビリティー管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）デバイスであり得る。
【００９０】
サブスクライバーデータ管理センターデバイスは、端末デバイスのサブスクリプションデータを格納するように構成されている。たとえば、端末デバイスのサブスクリプションデータは、モビリティー管理に関連したサブスクリプションデータ、およびセッション管理に関連したサブスクリプションデータを含む。端末デバイスのサブスクリプションデータが変化した場合には、サブスクライバーデータ管理センターデバイスは、変化したサブスクリプションデータを、端末デバイスが現在登録している先のコアネットワーク制御プレーンデバイスへ送信し得る。
【００９１】
デフォルトコアネットワーク制御プレーンデバイスは、いずれのコアネットワーク制御プレーンデバイスとも通信することが可能であるコアネットワーク制御プレーンデバイスであり、デフォルトコアネットワーク制御プレーンデバイスは、セキュリティーのためにいずれのコアネットワーク制御プレーンデバイスからも分離されることを必要とせず、言い換えれば、デフォルトコアネットワーク制御プレーンデバイスは、いずれのコアネットワーク制御プレーンデバイスとも通信することが可能である。
【００９２】
図１を参照すると、本出願の実施形態において提供されているコアネットワーク制御プレーンデバイス選択方法は、次のシナリオに適用され得る。端末デバイスによって実行されることを必要とするサービスが、第１のタイプのサービスから第２のタイプのサービスへ更新された場合には、端末デバイスによって当初アクセスされていたネットワークスライス１のパフォーマンスは、第２のタイプのサービスの要件を満たすことが可能ではなく、端末デバイスは、ネットワークスライス３へリダイレクトされることを必要とし、具体的には、端末デバイスは、ネットワークスライス３におけるコアネットワーク制御プレーンデバイス４へリダイレクトされることを必要とする。端末デバイスのリダイレクションプロセスにおいては、ソース管理デバイス（たとえば、コアネットワーク制御プレーンデバイス１）が、端末デバイスのコンテキスト情報を格納している。したがって、新たな管理デバイス（たとえば、コアネットワーク制御プレーンデバイス４）が、端末デバイスのコンテキストをソース管理デバイスに要求することがある。しかしながら、ソースネットワークスライスがターゲットネットワークスライスを決定することが可能ではない場合には、ソースネットワークスライスおよび新たなネットワークスライスは、互いから分離されることを必要とすることがある。端末デバイスが前述のリダイレクション方法を依然として使用する場合には、新たな管理デバイスは、端末デバイスのコンテキストを入手するためにソース管理デバイスにアクセスして、ソースネットワークスライスと新たなネットワークスライスとの間における分離に影響し、ネットワークスライスのセキュリティーを低減することがある。
【００９３】
端末デバイスによって開始されたリダイレクションプロセスにおいて、端末デバイスは、端末デバイスの一時識別子を搬送する登録要求メッセージを送信し得る。ターゲットコアネットワーク制御プレーンデバイスが、端末デバイスの一時識別子に基づいて、その一時識別子を割り当てているソースコアネットワーク制御プレーンデバイスの識別子を決定し、端末デバイスの一時識別子をソースコアネットワーク制御プレーンデバイスへ送信して、端末デバイスの格納されているコンテキスト情報をソースコアネットワーク制御プレーンデバイスに要求する。しかしながら、ソースコアネットワーク制御プレーンデバイスがターゲットコアネットワーク制御プレーンデバイスを決定することが可能ではない場合には、ターゲットコアネットワーク制御プレーンデバイスおよびソースコアネットワーク制御プレーンデバイスは、互いから分離されることを必要とすることがあり、したがってターゲットコアネットワーク制御プレーンデバイスおよびソースコアネットワーク制御プレーンデバイスは、互いに通信することが可能ではない。このケースにおいては、ターゲットコアネットワーク制御プレーンデバイスは、端末デバイスのコンテキスト情報をソースコアネットワーク制御プレーンデバイスに要求することに失敗することがあり、したがって端末デバイスのリダイレクションが影響される。端末デバイスは、端末デバイスの永久識別子を搬送する登録要求メッセージを再び開始することを必要とし、それによってターゲットコアネットワーク制御プレーンデバイスは、端末デバイスのサブスクリプションデータをサブスクライバーデータ管理センターに要求して、リダイレクションを完遂する。したがって、ソースコアネットワーク制御プレーンデバイスが、ソースコアネットワーク制御プレーンデバイスとターゲットコアネットワーク制御プレーンデバイスとの間における分離の要件に起因してターゲットコアネットワーク制御プレーンデバイスを決定することが可能ではない場合には、前述のリダイレクション方法は、複雑なリダイレクションステップおよび比較的大きなシグナリングオーバーヘッドの問題をさらに有する。
【００９４】
前述の問題を解決するために、本出願の第１の態様は、ソースコアネットワーク制御プレーンデバイスがターゲットコアネットワーク制御プレーンデバイスを決定することが可能ではない場合の端末デバイスのリダイレクションの問題を解決するためのコアネットワーク制御プレーンデバイス選択方法を提供する。本出願において提供されているコアネットワーク制御プレーンデバイス選択方法が、詳細な実施形態を使用することによって、以降で詳細に記述されている。以降のいくつかの具体的な実施形態は、互いに組み合わされ得、同じまたは同様のコンセプトまたはプロセスどうしは、いくつかの実施形態においては繰り返し記述されないことがある。
【００９５】
図２は、本出願の実施形態によるコアネットワーク制御プレーンデバイス選択方法におけるシグナリング対話の図である。図２において示されているように、本出願のこの実施形態において提供されているコアネットワーク制御プレーンデバイス選択方法は、下記のステップを含む。
【００９６】
Ｓ２０１：  ソースコアネットワーク制御プレーンデバイスが、端末デバイスの第１のＮＳＳＡＩを入手する。
【００９７】
たとえば、本出願のこの実施形態におけるソースコアネットワーク制御プレーンデバイスは、端末デバイスが現在登録している先のコアネットワーク制御プレーンデバイスであり、端末デバイスによって現在アクセスされているネットワークスライスが、ソースネットワークスライスである。端末デバイスのサブスクリプションデータが変化した場合には、ソースコアネットワーク制御プレーンデバイスは、サブスクリプションデータに基づいて端末デバイスの第１のＮＳＳＡＩを入手する。
【００９８】
サブスクリプションデータは、認証情報、サブスクライブされているサービスのアクセスポイント名に関する情報、アクセスポイント名に対応するサービスレベルに関する情報、アクセス制限データ情報、ローミング制限情報などを含む。たとえば、サブスクリプションデータが変化するということは、サブスクリプションデータのうちのいずれか１つが変化するということであり得る。端末デバイスのサブスクリプションデータが変化した場合には、それは、端末デバイスが新たなネットワークパフォーマンス要件を提起しているということを示している。したがって、ソースネットワークスライスは、端末デバイスの新たな要件を満たし得ず、適切なネットワークスライスが端末デバイスのために再選択されることが必要である。
【００９９】
コアネットワークが端末デバイスのために適切なネットワークスライスを選択するのを支援するためにＮＳＳＡＩが使用され得る。たとえば、ＮＳＳＡＩは、パブリックランドモバイルネットワーク（Ｐｕｂｌｉｃ  Ｌａｎｄ  Ｍｏｂｉｌｅ  Ｎｅｔｗｏｒｋ、ＰＬＭＮ）における事前に設定された標準値または特定の値であり得る。あるいは、ＮＳＳＡＩは、セッション管理／ネットワークスライス選択支援情報（Ｓｅｓｓｉｏｎ  Ｍａｎａｇｅｍｅｎｔ−ＮＳＳＡＩ、ＳＭ−ＮＳＳＡＩ）のセットであり得る。
【０１００】
端末デバイスのサブスクリプション情報が変化した場合には、ソースコアネットワーク制御プレーンデバイスは、端末デバイスの新たなサブスクリプション情報に対応するＮＳＳＡＩを決定し、そのＮＳＳＡＩに基づいてターゲットネットワークスライスタイプを決定し、そしてさらに、端末デバイスのために、ターゲットネットワークスライスタイプに関連付けられているターゲットコアネットワーク制御プレーンデバイスを決定し得る。
【０１０１】
あるいは、端末デバイスの新たなサブスクリプション情報は、第１のＮＳＳＡＩを含み、ソースコアネットワーク制御プレーンデバイスは、新たなサブスクリプション情報から第１のＮＳＳＡＩを直接入手する。
【０１０２】
Ｓ２０２：  ソースコアネットワーク制御プレーンデバイスは、第１のＮＳＳＡＩによってインデックス付けされているターゲットコアネットワーク制御プレーンデバイスを決定することが可能ではない。
【０１０３】
たとえば、さまざまなネットワークスライスが、さまざまなセキュリティーレベル要件を有する。高いセキュリティーレベル要件を有するネットワークスライスにおけるデータのセキュリティーを確実にするためには、そのネットワークスライスおよび別のネットワークスライスは、互いから分離されることを必要とし、言い換えれば、それらの２つのネットワークスライス内に含まれているデバイスどうしは、互いに通信することが可能ではない。２つのネットワークスライスの間にセキュリティー分離がある場合には、それらの２つのネットワークスライスの間には、共有されているコアネットワーク制御プレーンデバイスはない。加えて、それらの２つのネットワークスライス内のコアネットワーク制御プレーンデバイスどうしは、互いに通信することが可能ではない。
【０１０４】
分離要件を有するネットワークスライスどうしの間における対話を回避するために、本出願においては、リダイレクション手順を開始するように端末デバイスをトリガーする前に、ソースコアネットワーク制御プレーンデバイスは、第１のＮＳＳＡＩによってインデックス付けされているターゲットコアネットワーク制御プレーンデバイスを第１のＮＳＳＡＩに基づいて決定することを必要とする。上述されているように、ソースネットワークスライスとターゲットネットワークスライスとの間にセキュリティー分離がある場合には、ソースコアネットワーク制御プレーンデバイスは、第１のＮＳＳＡＩによってインデックス付けされているターゲットコアネットワーク制御プレーンデバイスを決定することが可能ではない。
【０１０５】
Ｓ２０３：  ソースコアネットワーク制御プレーンデバイスは、第１のＮＳＳＡＩおよび第１の表示情報を端末デバイスへ送信する。
【０１０６】
第１の表示情報は、端末デバイスの一時識別子が無効であるということを示すために使用される。任意選択で、図２を参照すると、ソースコアネットワーク制御プレーンデバイスは、アクセスネットワークデバイスを使用することによって第１のＮＳＳＡＩおよび第１の表示情報を端末デバイスへ送信し得る。下記の実施形態のうちのそれぞれにおけるソースコアネットワーク制御プレーンデバイスと端末デバイスとの間におけるシグナリング対話は、アクセスネットワークデバイスを使用することによって実施され得、詳細が本出願において再び記述されることはない。
【０１０７】
任意選択で、Ｓ２０３の前に、本出願のこの実施形態は、下記のステップをさらに含む。
【０１０８】
Ｓ２０３１：  ソースコアネットワーク制御プレーンデバイスは、端末デバイスの一時識別子を無効に設定する。
【０１０９】
たとえば、ソースコアネットワーク制御プレーンデバイスが、第１のＮＳＳＡＩによってインデックス付けされているターゲットコアネットワーク制御プレーンデバイスを決定することが可能ではない場合には、ソースコアネットワーク制御プレーンデバイスは、端末デバイスの一時識別子を無効に設定する。端末デバイスの一時識別子が無効に設定されるので、端末デバイスがその後に登録要求メッセージを開始した場合に、その登録要求メッセージは、もはや端末デバイスの一時識別子を搬送しない。したがって、ターゲットコアネットワーク制御プレーンデバイスは、一時識別子に基づいてソースコアネットワーク制御プレーンデバイスのアドレスを入手すること、またはソースコアネットワーク制御プレーンデバイスにアクセスして端末デバイスのコンテキストを入手することを必要とせず、それによってネットワークスライスのセキュリティー分離を改善する。
【０１１０】
任意選択で、Ｓ２０３の後に、本出願のこの実施形態は、下記のステップをさらに含む。
【０１１１】
Ｓ２０３２：  ソースコアネットワーク制御プレーンデバイスは、ソースコアネットワーク制御プレーンデバイスから端末デバイスを登録解除する。たとえば、ソースコアネットワーク制御プレーンデバイスは、ソースコアネットワーク制御プレーンデバイス上に格納されている端末デバイスのコンテキスト情報を削除して、ソースコアネットワーク制御プレーンデバイスから端末デバイスを登録解除する。
【０１１２】
たとえば、第１のＮＳＳＡＩおよび第１の表示情報を端末デバイスへ送信した後に、ソースコアネットワーク制御プレーンデバイスは、ソースコアネットワーク制御プレーンデバイスから端末デバイスを登録解除し、それによってソースコアネットワーク制御プレーンデバイスは、もはや端末デバイスにサービスを提供しない。ソースコアネットワーク制御プレーンデバイスは、もはや端末デバイスのコンテキスト情報を格納していない。したがって、端末デバイスまたはいずれのコアネットワーク制御プレーンデバイスも、端末デバイスのコンテキスト情報をソースコアネットワーク制御プレーンデバイスに要求することが可能ではなく、それによってサービス対話を回避し、セキュリティーを改善する。
【０１１３】
Ｓ２０４：  端末デバイスは、第１のＮＳＳＡＩおよび第１の表示情報に基づいて第１の登録要求メッセージをアクセスネットワークデバイスへ送信し、第１の登録要求メッセージは、端末デバイスの第１のＮＳＳＡＩおよび永久識別子を搬送する。
【０１１４】
たとえば、ソースコアネットワーク制御プレーンデバイスは、第１のＮＳＳＡＩおよび第１の表示情報を端末デバイスへ送信する。第１のＮＳＳＡＩは、ターゲットコアネットワーク制御プレーンデバイスをインデックス付けするために使用され、第１の表示情報は、端末デバイスの一時識別子が無効であるということを示すために使用される。第１のＮＳＳＡＩおよび第１の表示情報は、登録要求手順を開始するように端末デバイスをトリガーするために使用される。端末デバイスは、第１の登録要求メッセージをアクセスネットワークデバイスへ送信する。第１の登録要求メッセージは、端末デバイスの永久識別子を搬送する。たとえば、端末デバイスは、アクセスネットワークデバイスを使用することによって、第１のＮＳＳＡＩによって示されているターゲットコアネットワーク制御プレーンデバイスへ第１の登録要求メッセージを送信して、端末デバイスをターゲットコアネットワーク制御プレーンデバイスへリダイレクトする。
【０１１５】
たとえば、第１のＮＳＳＡＩおよび第１の表示情報を受信した後に、端末デバイスは、端末デバイスの一時識別子が既に無効であるということを知り、第１のＮＳＳＡＩに基づいて第１の登録要求メッセージをアクセスネットワークデバイスへ送信する。たとえば、端末デバイスは、下記の様式で第１の登録要求メッセージを送信し得る。
【０１１６】
第１の登録要求メッセージをアクセスネットワークデバイスへ送信する場合に、端末デバイスはまた、端末デバイスとアクセスネットワークデバイスとの間において無線リソース制御（Ｒａｄｉｏ  Ｒｅｓｏｕｒｃｅ  Ｃｏｎｔｒｏｌ、ＲＲＣ）メッセージを送信し得る。ＲＲＣメッセージは、第１のＮＳＳＡＩと、端末デバイスによって選択されたＰＬＭＮとを搬送する。アクセスネットワークデバイスは、ＲＲＣメッセージ内にある、第１のＮＳＳＡＩと、端末デバイスによって選択されたＰＬＭＮとに基づいて端末デバイスのターゲットコアネットワーク制御プレーンデバイスを決定し、第１の登録要求メッセージをターゲットコアネットワーク制御プレーンデバイスへ転送する。第１の登録要求メッセージを受信した後に、ターゲットコアネットワーク制御プレーンデバイスは、端末デバイスの永久識別子に基づいて端末デバイスのサブスクリプションデータをサブスクライバーデータ管理センターデバイスに要求し、サブスクリプションデータに基づいてターゲットコアネットワーク制御プレーンデバイス上で端末デバイスの登録手順を完遂する。
【０１１７】
第１の登録要求メッセージは、非アクセス層（Ｎｏｎ−Ａｃｃｅｓｓ  Ｓｔｒａｔｕｍ、ＮＡＳ）メッセージであり得、ＮＡＳメッセージは、端末デバイスの永久識別子と、第１のＮＳＳＡＩとを搬送する。たとえば、端末デバイスの永久識別子は、国際移動体サブスクライバー識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）であり得、またはサブスクライバー永久識別子（Ｓｕｂｓｃｒｉｂｅｒ  Ｐｅｒｍａｎｅｎｔ  Ｉｄｅｎｔｉｔｙ、ＳＵＰＩ）であり得る。
【０１１８】
本出願のこの実施形態において提供されているコアネットワーク制御プレーンデバイス選択方法においては、ソースコアネットワーク制御プレーンデバイスが、ターゲットコアネットワーク制御プレーンデバイスを示す第１のＮＳＳＡＩを受信したときに、ソースコアネットワーク制御プレーンデバイスが、第１のＮＳＳＡＩによってインデックス付けされているターゲットコアネットワーク制御プレーンデバイスを決定することが可能ではない場合に、ソースコアネットワーク制御プレーンデバイスは、ソースコアネットワーク制御プレーンデバイスおよびターゲットコアネットワーク制御プレーンデバイスが、互いから分離されることを必要としているということを知り、第１のＮＳＳＡＩおよび第１の表示情報を端末デバイスへ送信する。端末デバイスの一時識別子が無効に設定されているということを第１の表示情報に基づいて知った後に、端末デバイスは、端末デバイスの第１のＮＳＳＡＩおよび永久識別子を搬送する登録要求メッセージをアクセスネットワークデバイスへ送信し、それによって、ソースコアネットワーク制御プレーンデバイスとターゲットコアネットワーク制御プレーンデバイスとの間における情報のやり取りが回避され、ネットワークスライスどうしの間におけるセキュリティーが改善され、端末デバイスをターゲットコアネットワーク制御プレーンデバイスへリダイレクトする手順効率が改善され、シグナリングが節約される。
【０１１９】
加えて、ソースコアネットワーク制御プレーンデバイスは、端末デバイスの一時識別子を無効に設定し、ソースコアネットワーク制御プレーンデバイスから端末デバイスを登録解除し、それによってソースコアネットワーク制御プレーンデバイスは、もはや端末デバイスにサービスを提供せず、端末デバイスは、ソースコアネットワーク制御プレーンデバイスとのサービス対話を再び実行することを必要とせず、それによってネットワークスライスのセキュリティーを改善する。
【０１２０】
結論として、本出願において提供されているコアネットワーク制御プレーンデバイス選択方法によれば、ネットワークスライスのセキュリティー、および端末デバイスのリダイレクション効率が改善され、シグナリングが節約される。
【０１２１】
さらに、図２において示されている実施形態に基づいて、図３および図４において、第１のＮＳＳＡＩによってインデックス付けされているターゲットコアネットワーク制御プレーンデバイスをソースコアネットワーク制御プレーンデバイスが決定することが可能ではない２つの可能な実施態様に基づいて、さらなる説明が提供されている。図３および図４は、本出願の実施形態によるコアネットワーク制御プレーンデバイス選択方法におけるシグナリング対話の図である。
【０１２２】
図３を参照すると、本出願のこの実施形態において提供されているコアネットワーク制御プレーンデバイス選択方法は、下記のステップを含む。
【０１２３】
Ｓ３０１：  ソースコアネットワーク制御プレーンデバイスが、サブスクライバーデータ管理センターデバイスから端末デバイスのサブスクリプションデータを入手する。
【０１２４】
たとえば、ソースコアネットワーク制御プレーンデバイスは、サブスクライバーデータ管理センターデバイスから端末デバイスのサブスクリプションデータを受信する。サブスクライバーデータ管理センターデバイス上に格納されている端末デバイスのサブスクリプションデータにおける変化を見つけた後に、サブスクライバーデータ管理センターデバイスは、端末デバイスが現在登録している先のソースコアネットワーク制御プレーンデバイスを端末デバイスの永久識別子に基づいて決定する。次いで、サブスクライバーデータ管理センターデバイスは、端末デバイスの新たなサブスクリプションデータと、端末デバイスの永久識別子とをソースコアネットワーク制御プレーンデバイスへ送信する。
【０１２５】
任意選択で、サブスクライバーデータ管理センターデバイスは、下記の様式でサブスクリプションデータを送信し得る。
【０１２６】
サブスクライバーデータ管理センターデバイスは、サブスクリプションデータ挿入要求メッセージを使用することによって、端末デバイスの新たなサブスクリプションデータをソースコアネットワーク制御プレーンデバイスへ送信する。端末デバイスの新たなサブスクリプションデータと、端末デバイスの永久識別子とを受信した場合には、ソースコアネットワーク制御プレーンデバイスは、ソースコアネットワーク制御プレーンデバイスに登録されていて、かつ変化しているサブスクリプションデータを有している特定の端末デバイスを決定し得る。
【０１２７】
任意選択で、端末デバイスの新たなサブスクリプションデータを受信した後に、ソースコアネットワーク制御プレーンデバイスは、サブスクリプションデータ挿入応答メッセージをサブスクライバーデータ管理センターデバイスへさらに送信し得る。
【０１２８】
Ｓ３０２：  ソースコアネットワーク制御プレーンデバイスは、サブスクリプションデータに基づいて第１のＮＳＳＡＩを決定する。
【０１２９】
たとえば、端末デバイスの新たなサブスクリプションデータを受信した場合には、ソースコアネットワーク制御プレーンデバイスは、端末デバイスの新たなサブスクリプションデータを端末デバイスの古いサブスクリプションデータと比較し、サブスクリプションデータにおいて変化しているアイテムがＮＳＳＡＩを変化させているかどうかを決定する。そのアイテムがＮＳＳＡＩを変化させている場合には、ソースコアネットワーク制御プレーンデバイスは、サブスクリプションデータにおいて変化しているそのアイテムに基づいて第１のＮＳＳＡＩを入手する。任意選択の実施態様においては、ソースコアネットワーク制御プレーンデバイスは、サブスクリプションデータとＮＳＳＡＩとの間における対応を構成し、サブスクリプションデータを使用することによってＮＳＳＡＩを決定し得る。
【０１３０】
あるいは、ソースコアネットワーク制御プレーンデバイスが端末デバイスの新たなサブスクリプションデータを受信した場合には、新たなサブスクリプションデータは、第１のＮＳＳＡＩを含み、ソースコアネットワーク制御プレーンデバイスは、第１のＮＳＳＡＩを直接入手し得る。サブスクリプションデータにおいて変化しているアイテムがＮＳＳＡＩを変化させていない場合には、端末デバイスは、コアネットワーク制御プレーンデバイスへのリダイレクション登録を実行することを必要としない。
【０１３１】
Ｓ３０３：  ソースコアネットワーク制御プレーンデバイスは、第１のＮＳＳＡＩによってインデックス付けされているターゲットコアネットワーク制御プレーンデバイスを決定することが可能ではない。
【０１３２】
たとえば、ソースコアネットワーク制御プレーンデバイスと、第１のＮＳＳＡＩによってインデックス付けされているターゲットコアネットワーク制御プレーンデバイスとが、互いから分離されることを必要とする場合には、ソースコアネットワーク制御プレーンデバイスは、第１のＮＳＳＡＩによってインデックス付けされているターゲットコアネットワーク制御プレーンデバイスを決定することが可能ではない。
【０１３３】
ソースネットワークスライスおよびターゲットネットワークスライスが、セキュリティーのために互いから分離されることを必要としない場合には、ソースコアネットワーク制御プレーンデバイスおよびターゲットコアネットワーク制御プレーンデバイスは、互いに通信することが可能であり、端末デバイスは、登録要求メッセージ、または端末デバイスの第１のＮＳＳＡＩおよび一時識別子を搬送するトラッキングエリア更新（Ｔｒａｃｋｉｎｇ  Ａｒｅａ  Ｕｐｄａｔｅ、ＴＡＵ）要求メッセージをアクセスネットワークデバイスへ送信し得る。ターゲットコアネットワーク制御プレーンデバイスは、端末デバイスの一時識別子に基づいて端末デバイスのコンテキスト情報をソースコアネットワーク制御プレーンデバイスに要求して、登録手順またはＴＡＵ手順を完遂し得る。
【０１３４】
さらに、ソースコアネットワーク制御プレーンデバイスが端末デバイスの第１のＮＳＳＡＩを入手し、第１のＮＳＳＡＩに基づいてターゲットコアネットワーク制御プレーンデバイスを決定する前に、本出願のこの実施形態において提供されているコアネットワーク制御プレーンデバイス選択方法は、
ソースコアネットワーク制御プレーンデバイスによって端末デバイスから第２の登録要求メッセージを受信するステップであって、第２の登録要求メッセージは、第２のＮＳＳＡＩを搬送し、第２のＮＳＳＡＩは、ソースコアネットワーク制御プレーンデバイスをインデックス付けするために使用される、ステップをさらに含む。
【０１３５】
たとえば、端末デバイスがＰＬＭＮにアクセスする前に、構成されたＮＳＳＡＩ（Ｃｏｎｆｉｇｕｒｅｄ  ＮＳＳＡＩ）、すなわち、第２のＮＳＳＡＩが、端末デバイス上で事前に設定される。構成されたＮＳＳＡＩは、選択されたＰＬＭＮにおける端末デバイスの利用可能なネットワークスライスを示すために使用される。ネットワークスライスに最初にアクセスしたときに、端末デバイスは、最初の登録要求をアクセスネットワークデバイスへ送信する。最初の登録要求は、構成されたＮＳＳＡＩを搬送する。アクセスネットワークデバイスは、構成されたＮＳＳＡＩに基づいて、最初の登録要求内の端末デバイスの永久識別子を、構成されたＮＳＳＡＩに対応するコアネットワーク制御プレーンデバイス、すなわち、ソースコアネットワーク制御プレーンデバイスへ送信して、端末デバイスの最初の登録を完遂する。
【０１３６】
任意選択で、第１のＮＳＳＡＩによってインデックス付けされているターゲットコアネットワーク制御プレーンデバイスが決定されることが可能ではないということを決定する前に、ソースコアネットワーク制御プレーンデバイスは、ソースコアネットワーク制御プレーンデバイスが端末デバイスにサービス提供し続けることが可能であるかどうかを決定することをさらに必要とする。
【０１３７】
たとえば、ソースコアネットワーク制御プレーンデバイスが端末デバイスにサービス提供し続けることが可能であるかどうかは、下記の様式で決定される。
【０１３８】
ソースコアネットワーク制御プレーンデバイスが、最新のサブスクリプションデータに基づいて第１のＮＳＳＡＩを決定し、第１のＮＳＳＡＩに関連付けられているスライスタイプまたはサービスタイプが、ソースコアネットワーク制御プレーンデバイスに関連付けられているスライスタイプまたはサービスタイプに含まれていないということを決定した場合には、それは、端末デバイスが、ソースコアネットワーク制御プレーンデバイスを使用することによって、第１のＮＳＳＡＩによって示されているターゲットネットワークスライスにアクセスすることが可能ではないということを示しており、ソースコアネットワーク制御プレーンデバイスが端末デバイスにサービス提供し続けることが可能ではないということが決定される。ソースコアネットワーク制御プレーンデバイスが端末デバイスにサービス提供し続けることが可能ではないということを決定した場合には、ソースコアネットワーク制御プレーンデバイスは、ソースネットワークスライスが、第１のＮＳＳＡＩによってインデックス付けされているターゲットコアネットワーク制御プレーンデバイスを決定することが可能であるかどうかをさらに決定する。ソースコアネットワーク制御プレーンデバイスが端末デバイスにサービス提供し続けることが可能であるということをソースコアネットワーク制御プレーンデバイスが決定した場合には、端末デバイスは、コアネットワーク制御プレーンデバイスへのリダイレクション登録を実行することを必要とせず、ソースコアネットワーク制御プレーンデバイスに登録することと、ソースコアネットワーク制御プレーンデバイスを使用することによってターゲットネットワークスライスにアクセスすることとが依然として可能である。
【０１３９】
たとえば、古いサブスクリプションデータと比較された場合に、端末デバイスの新たなサブスクリプションデータは、同じスライスタイプのネットワークスライスを示し、端末デバイスは、同じコアネットワーク制御プレーンデバイスによってサービス提供され得る。端末デバイスの第２のＮＳＳＡＩに関連付けられているスライスタイプが、１、２、および３を含む場合に、端末デバイスの第１のＮＳＳＡＩに関連付けられているスライスタイプが、１および／または２を含むときには、ソースコアネットワーク制御プレーンデバイスは端末デバイスにサービス提供し続け得るとみなされる。端末デバイスの第１のＮＳＳＡＩに関連付けられているスライスタイプが４を含むときには、ソースコアネットワーク制御プレーンデバイスは端末デバイスにサービス提供し続けることが可能ではないとみなされる。
【０１４０】
Ｓ３０４：  ソースコアネットワーク制御プレーンデバイスは、端末デバイスの一時識別子を無効に設定する。
【０１４１】
たとえば、ソースコアネットワーク制御プレーンデバイスが端末デバイスにサービス提供し続けることが可能ではないということをソースコアネットワーク制御プレーンデバイスが決定し、第１のＮＳＳＡＩによってインデックス付けされているターゲットコアネットワーク制御プレーンデバイスをソースコアネットワーク制御プレーンデバイスが決定することが可能ではない場合には、ソースコアネットワーク制御プレーンデバイスは、端末デバイスの一時識別子を無効に設定する。
【０１４２】
たとえば、ソースコアネットワーク制御プレーンデバイスによって端末デバイスの一時識別子を無効に設定する様式は、具体的には、端末デバイスのための無効な一時識別子を設定すること、またはソースコアネットワーク制御プレーンデバイスのサービスリストから端末デバイスの一時識別子を削除することであり得る。
【０１４３】
Ｓ３０５：  ソースコアネットワーク制御プレーンデバイスは、第１のＮＳＳＡＩおよび第１の表示情報を端末デバイスへ送信する。第１の表示情報は、端末デバイスの一時識別子が無効であるということを示すために使用される。
【０１４４】
たとえば、ソースコアネットワーク制御プレーンデバイスは、下記の様式で第１のＮＳＳＡＩおよび第１の表示情報を端末デバイスへ送信し得る。
【０１４５】
様式１：  端末デバイスが接続状態にある場合には、ソースコアネットワーク制御プレーンデバイスは、端末デバイスの一時識別子を再び割り当てることによって、第１のＮＳＳＡＩおよび第１の表示情報を端末デバイスへ送達する。
【０１４６】
様式２：  端末デバイスがアイドル状態にある場合には、ソースコアネットワーク制御プレーンデバイスは、端末デバイスがＴＡＵ手順／サービス要求手順を開始してソースコアネットワーク制御プレーンデバイスへの登録を完遂するまで待機し得、次いでソースコアネットワーク制御プレーンデバイスは、ＴＡＵ受け入れメッセージ／サービス要求完遂メッセージを使用することによって、第１のＮＳＳＡＩおよび第１の表示情報を端末デバイスへ送達する。
【０１４７】
様式３：  端末デバイスがアイドル状態にある場合には、ソースコアネットワーク制御プレーンデバイスは、端末デバイスをページし、サービス要求を開始してアイドル状態から接続状態へ変化するように端末デバイスをトリガーし、第１の様式で第１のＮＳＳＡＩおよび第１の表示情報を端末デバイスへ送信し得る。
【０１４８】
任意選択で、ソースコアネットワーク制御プレーンデバイスは、別の実現可能な様式で第１のＮＳＳＡＩおよび第１の表示情報を端末デバイスへ送信し得る。前述の複数の可能な実施態様は、ネットワークポリシーに従ってソースコアネットワーク制御プレーンデバイスによって決定され得る。これは、本出願においては限定されない。
【０１４９】
Ｓ３０６：  ソースコアネットワーク制御プレーンデバイスは、ソースコアネットワーク制御プレーンデバイスから端末デバイスを登録解除する。
【０１５０】
たとえば、ソースコアネットワーク制御プレーンデバイスは、ソースコアネットワーク制御プレーンデバイスから端末デバイスのコンテキスト情報を削除する。
【０１５１】
Ｓ３０７：  端末デバイスは、第１のＮＳＳＡＩおよび第１の表示情報に基づいて第１の登録要求メッセージをアクセスネットワークデバイスへ送信し、アクセスネットワークデバイスは、第１の登録要求メッセージをターゲットコアネットワーク制御プレーンデバイスへ送信し、第１の登録要求メッセージは、端末デバイスの第１のＮＳＳＡＩおよび永久識別子を搬送する。
【０１５２】
たとえば、端末デバイスは、端末デバイスの永久識別子と、第１のＮＳＳＡＩとをＮＡＳメッセージに付加し、ＲＲＣメッセージは、第１のＮＳＳＡＩと、端末デバイスによって選択されたＰＬＭＮとを搬送する。ＲＲＣメッセージを受信した後に、アクセスネットワークデバイスは、ＲＲＣメッセージ内に含めて搬送されている第１のＮＳＳＡＩおよびＰＬＭＮに基づいて端末デバイスのためのターゲットコアネットワーク制御プレーンデバイスを選択する。アクセスネットワークデバイスは、端末デバイスによって送信されたＮＡＳメッセージをターゲットコアネットワーク制御プレーンデバイスへ転送する。
【０１５３】
Ｓ３０８：  ターゲットコアネットワーク制御プレーンデバイスは、端末デバイスの永久識別子に基づいてサブスクライバーデータ管理センターデバイスから端末デバイスのサブスクリプションデータを入手する。
【０１５４】
たとえば、ターゲットコアネットワーク制御プレーンデバイスは、端末デバイスのサブスクリプションデータに基づいて端末デバイスの登録手順を引き続き完遂する。ＬＴＥシステムまたは５Ｇシステムにおける登録手順が、端末デバイスの登録手順用として使用され得る。これが本出願において詳細に記述されることはない。
【０１５５】
この実施形態においては、端末デバイスのサブスクリプションデータが変化しているということを検知した場合に、サブスクライバーデータ管理センターデバイスは、端末デバイスの新たなサブスクリプションデータをソースコアネットワーク制御プレーンデバイスへ送信し、それによってソースコアネットワーク制御プレーンデバイスは、その新たなサブスクリプションデータに基づいて、ターゲットコアネットワーク制御プレーンデバイスにインデックス付けするために使用される第１のＮＳＳＡＩを入手する。加えて、ソースコアネットワーク制御プレーンデバイスは、接続状態およびアイドル状態にある端末デバイスの別々の処理に基づいて、別々の様式で第１のＮＳＳＡＩおよび第１の表示情報を端末デバイスへ送信し得、それによってシグナリング対話の柔軟性を改善する。
【０１５６】
この実施形態においては、第１のＮＳＳＡＩに関連付けられているスライスタイプまたはサービスタイプが、ソースコアネットワーク制御プレーンデバイスに関連付けられているスライスタイプまたはサービスタイプに含まれているかどうかに応じて、ソースコアネットワーク制御プレーンデバイスが端末デバイスにサービス提供し続けることが可能であるかどうかがさらに決定され得、それにより、ソースコアネットワーク制御プレーンデバイスが端末デバイスにサービス提供し続けることが可能である場合に端末デバイスのリダイレクションが回避されることが可能であり、それによってシグナリングオーバーヘッドを低減する。
【０１５７】
図４は、本出願の実施形態によるコアネットワーク制御プレーンデバイス選択方法におけるシグナリング対話の図である。
【０１５８】
図４を参照すると、本出願のこの実施形態において提供されているコアネットワーク制御プレーンデバイス選択方法は、下記のステップを含む。
【０１５９】
Ｓ４０１：  ソースコアネットワーク制御プレーンデバイスが、サブスクライバーデータ管理センターデバイスから端末デバイスのサブスクリプションデータを入手する。
【０１６０】
Ｓ４０２：  ソースコアネットワーク制御プレーンデバイスは、サブスクリプションデータに基づいて第１のＮＳＳＡＩを決定する。
【０１６１】
Ｓ４０３：  ソースコアネットワーク制御プレーンデバイスは、第１のＮＳＳＡＩをデフォルトコアネットワーク制御プレーンデバイスへ送信して、第１のＮＳＳＡＩによってインデックス付けされているターゲットコアネットワーク制御プレーンデバイスを要求する。
【０１６２】
Ｓ４０４：  デフォルトコアネットワーク制御プレーンデバイスは、第１のＮＳＳＡＩによってインデックス付けされているターゲットコアネットワーク制御プレーンデバイスが決定されることが可能ではないということをソースコアネットワーク制御プレーンデバイスに示す。
【０１６３】
たとえば、デフォルトコアネットワーク制御プレーンデバイスは、第２の表示情報をソースコアネットワーク制御プレーンデバイスへ送信し、第２の表示情報は、第１のＮＳＳＡＩによってインデックス付けされているターゲットコアネットワーク制御プレーンデバイスが決定されることが可能ではないということを示すために使用される。あるいは、デフォルトコアネットワーク制御プレーンデバイスは、要求失敗メッセージをソースコアネットワーク制御プレーンデバイスへ送信して、またはメッセージをソースコアネットワーク制御プレーンデバイスへ送信することを拒否して、第１のＮＳＳＡＩによってインデックス付けされているターゲットコアネットワーク制御プレーンデバイスが決定されることが可能ではないということをソースコアネットワーク制御プレーンデバイスに通知する。たとえば、ソースコアネットワーク制御プレーンデバイスが配置されているスライスと、ターゲットコアネットワーク制御プレーンデバイスが配置されているスライスとの間において分離が必要とされているので、第１のＮＳＳＡＩによってインデックス付けされているターゲットコアネットワーク制御プレーンデバイスが決定されることが可能ではない。
【０１６４】
言い換えれば、要求が失敗した場合には、ソースコアネットワーク制御プレーンデバイスは、第１のＮＳＳＡＩによってインデックス付けされているターゲットコアネットワーク制御プレーンデバイスを決定することが可能ではない。
【０１６５】
たとえば、ソースコアネットワーク制御プレーンデバイスが、サブスクリプションデータに基づいて第１のＮＳＳＡＩを決定し得るが、ソースコアネットワーク制御プレーンデバイスおよびターゲットコアネットワーク制御プレーンデバイスが互いに通信することが可能であるかどうかを第１のＮＳＳＡＩに基づいて決定することが可能ではない場合には、ソースコアネットワーク制御プレーンデバイスは、ステップＳ４０４を使用することによって、ターゲットコアネットワーク制御プレーンデバイスが決定されることが可能ではないということを知る。
【０１６６】
任意選択で、図３において示されている実施形態と同様に、第１のＮＳＳＡＩによってインデックス付けされているターゲットコアネットワーク制御プレーンデバイスが決定されることが可能ではないということを決定する前に、ソースコアネットワーク制御プレーンデバイスは、ソースコアネットワーク制御プレーンデバイスが端末デバイスにサービス提供し続けることが可能であるかどうかを決定することをさらに必要とする。たとえば、ソースコアネットワーク制御プレーンデバイスが端末デバイスにサービス提供し続けることが可能であるかどうかは、下記の様式で決定される。
【０１６７】
ソースコアネットワーク制御プレーンデバイスが、最新のサブスクリプションデータに基づいて第１のＮＳＳＡＩを決定し、第１のＮＳＳＡＩに関連付けられているスライスタイプまたはサービスタイプが、ソースコアネットワーク制御プレーンデバイスに関連付けられているスライスタイプまたはサービスタイプに含まれていないということを決定した場合には、それは、端末デバイスが、ソースコアネットワーク制御プレーンデバイスを使用することによって、第１のＮＳＳＡＩによって示されているターゲットネットワークスライスにアクセスすることが可能ではないということを示しており、ソースコアネットワーク制御プレーンデバイスが端末デバイスにサービス提供し続けることが可能ではないということが決定される。ソースコアネットワーク制御プレーンデバイスが端末デバイスにサービス提供し続けることが可能ではないということを決定した場合には、ソースコアネットワーク制御プレーンデバイスは、ソースネットワークスライスおよびターゲットネットワークスライスが、互いから分離されることを必要とするかどうかを決定する。ソースコアネットワーク制御プレーンデバイスが端末デバイスにサービス提供し続けることが可能であるということをソースコアネットワーク制御プレーンデバイスが決定した場合には、端末デバイスは、コアネットワーク制御プレーンデバイスへのリダイレクション登録を実行することを必要とせず、ソースコアネットワーク制御プレーンデバイスに登録することと、ソースコアネットワーク制御プレーンデバイスを使用することによってターゲットネットワークスライスにアクセスすることとが依然として可能である。
【０１６８】
Ｓ４０５：  ソースコアネットワーク制御プレーンデバイスは、端末デバイスの一時識別子を無効に設定する。
【０１６９】
Ｓ４０６：  ソースコアネットワーク制御プレーンデバイスは、第１のＮＳＳＡＩおよび第１の表示情報を端末デバイスへ送信する。第１の表示情報は、端末デバイスの一時識別子が無効であるということを示すために使用される。
【０１７０】
Ｓ４０７：  ソースコアネットワーク制御プレーンデバイスは、ソースコアネットワーク制御プレーンデバイスから端末デバイスを登録解除する。
【０１７１】
Ｓ４０８：  端末デバイスは、第１のＮＳＳＡＩおよび第１の表示情報に基づいて第１の登録要求メッセージをアクセスネットワークデバイスへ送信し、アクセスネットワークデバイスは、第１の登録要求メッセージをターゲットコアネットワーク制御プレーンデバイスへ送信し、第１の登録要求メッセージは、端末デバイスの第１のＮＳＳＡＩおよび永久識別子を搬送する。
【０１７２】
Ｓ４０９：  ターゲットコアネットワーク制御プレーンデバイスは、端末デバイスの永久識別子に基づいてサブスクライバーデータ管理センターデバイスから端末デバイスのサブスクリプションデータを入手する。
【０１７３】
ステップＳ４０１からＳ４０３およびＳ４０５からＳ４０９に関しては、図３におけるＳ３０１、Ｓ３０２、およびＳ３０４からＳ３０８の説明を参照されたい。詳細がここで再び記述されることはない。
【０１７４】
この実施形態においては、ソースコアネットワーク制御プレーンデバイスは、第１のＮＳＳＡＩをデフォルトコアネットワーク制御プレーンデバイスへ送信し、それによってデフォルトコアネットワーク制御プレーンデバイスは、サブスクリプションデータに基づいて、第１のＮＳＳＡＩと、第１のＮＳＳＡＩによってインデックス付けされているターゲットコアネットワーク制御プレーンデバイスとを入手する。デフォルトコアネットワーク制御プレーンデバイスは、ターゲットコアネットワーク制御プレーンデバイスが決定されることが可能ではないという決定結果をソースコアネットワーク制御プレーンデバイスへ返し、それによってソースコアネットワーク制御プレーンデバイスは、その後のオペレーションをトリガーし、それにより、端末デバイスの不成功なリダイレクションの問題を解決する。
【０１７５】
本出願の第２の態様は、コアネットワーク制御プレーンデバイス選択方法をさらに提供する。前述の第１の態様における任意の実施形態との違いは、ソースコアネットワーク制御プレーンデバイスが第１のＮＳＳＡＩを決定することが可能ではない場合に、この実施形態においては、ソースコアネットワーク制御プレーンデバイスが、はじめに端末デバイスをデフォルトコアネットワーク制御プレーンデバイスへリダイレクトし、次いでデフォルトコアネットワーク制御プレーンデバイスが、端末デバイスにサービス提供し、端末デバイスをターゲットコアネットワーク制御プレーンデバイスへリダイレクトするということである。本出願において提供されているコアネットワーク制御プレーンデバイス選択方法が、詳細な実施形態を使用することによって、以降で詳細に記述されている。
【０１７６】
図５は、本出願の実施形態によるコアネットワーク制御プレーンデバイス選択方法におけるシグナリング対話の図である。図５を参照すると、本出願のこの実施形態において提供されているコアネットワーク制御プレーンデバイス選択方法は、下記のステップを含む。
【０１７７】
Ｓ５０１：  ソースコアネットワーク制御プレーンデバイスが、サブスクライバーデータ管理センターデバイスから端末デバイスのサブスクリプションデータを入手する。
【０１７８】
端末デバイスのサブスクリプションデータを入手する様式は、前述の実施形態のうちのいずれかにおいて記述されている方法と同様であり得、詳細がここで再び記述されることはない。
【０１７９】
Ｓ５０２：  ソースコアネットワーク制御プレーンデバイスは、第１のＮＳＳＡＩが決定されることが可能ではないということを決定し、第１のＮＳＳＡＩは、ターゲットコアネットワーク制御プレーンデバイスをインデックス付けするために使用される。
【０１８０】
たとえば、端末デバイスのサブスクリプションデータを入手した場合には、ソースコアネットワーク制御プレーンデバイスは、端末デバイスの第１のＮＳＳＡＩが決定されることが可能であるかどうかを決定する。端末デバイスの第１のＮＳＳＡＩが決定されることが可能であるということを決定した場合には、ソースコアネットワーク制御プレーンデバイスは、図２から図６のうちのいずれか１つにおいて示されている実施形態を実行し得る。
【０１８１】
端末デバイスの第１のＮＳＳＡＩが決定されることが可能ではないということをソースコアネットワーク制御プレーンデバイスが決定するということは、ソースコアネットワーク制御プレーンデバイスそのものが端末デバイスのサブスクリプションデータに基づいて端末デバイスの第１のＮＳＳＡＩを決定することが可能ではないということであり得、またはソースコアネットワーク制御プレーンデバイスがデフォルトコアネットワーク制御プレーンデバイスから端末デバイスの第１のＮＳＳＡＩを入手することが可能ではないということであり得る。
【０１８２】
Ｓ５０３：  ソースコアネットワーク制御プレーンデバイスは、第３のＮＳＳＡＩおよび第１の表示情報を端末デバイスへ送信し、第１の表示情報は、端末デバイスの一時識別子が無効であるということを示すために使用され、第３のＮＳＳＡＩは、デフォルトコアネットワーク制御プレーンデバイスをインデックス付けするために使用される。
【０１８３】
たとえば、第１のＮＳＳＡＩが決定されることが可能ではないということを決定した場合には、ソースコアネットワーク制御プレーンデバイスは、第３のＮＳＳＡＩおよび第１の表示情報を端末デバイスへ送信する。第１の表示情報を受信した場合には、端末デバイスは、ソースコアネットワーク制御プレーンデバイスによって端末デバイスに割り当てられている一時識別子が無効であるということを決定する。端末デバイスは、第３のＮＳＳＡＩに基づいてデフォルトコアネットワーク制御プレーンデバイスへのリダイレクション登録を実行する。
【０１８４】
たとえば、ソースコアネットワーク制御プレーンデバイスは、下記の様式で第３のＮＳＳＡＩおよび第１の表示情報を端末デバイスへ送信し得る。
【０１８５】
様式１：  端末デバイスが接続状態にある場合には、ソースコアネットワーク制御プレーンデバイスは、端末デバイスの一時識別子を再び割り当てることによって、第３のＮＳＳＡＩおよび第１の表示情報を端末デバイスへ送達する。
【０１８６】
様式２：  端末デバイスがアイドル状態にある場合には、ソースコアネットワーク制御プレーンデバイスは、端末デバイスがＴＡＵ手順／サービス要求手順を開始してソースコアネットワーク制御プレーンデバイスへの登録を完遂するまで待機することを選び、次いでソースコアネットワーク制御プレーンデバイスは、ＴＡＵ受け入れメッセージ／サービス要求完遂メッセージを使用することによって、第３のＮＳＳＡＩおよび第１の表示情報を端末デバイスへ送達する。
【０１８７】
様式３：  端末デバイスがアイドル状態にある場合には、ソースコアネットワーク制御プレーンデバイスは、端末デバイスをページすること、サービス要求を開始してアイドル状態から接続状態へ変化するように端末デバイスをトリガーすること、ならびに第１の様式で第３のＮＳＳＡＩおよび第１の表示情報を端末デバイスへ送信することを選び得る。
【０１８８】
任意選択で、ソースコアネットワーク制御プレーンデバイスは、別の実現可能な様式で第３のＮＳＳＡＩおよび第１の表示情報を端末デバイスへ送信し得る。前述の複数の可能な実施態様は、ネットワークポリシーに従ってソースコアネットワーク制御プレーンデバイスによって決定され得る。これは、本出願においては限定されない。
【０１８９】
任意選択で、Ｓ５０３の前に、本出願のこの実施形態は、下記のステップをさらに含む。
【０１９０】
Ｓ５０３１：  ソースコアネットワーク制御プレーンデバイスは、端末デバイスの一時識別子を無効に設定する。
【０１９１】
たとえば、端末デバイスの第１のＮＳＳＡＩが決定されることが可能ではないということを決定した場合には、ソースコアネットワーク制御プレーンデバイスは、端末デバイスの一時識別子を無効に設定する。
【０１９２】
たとえば、ソースコアネットワーク制御プレーンデバイスによって端末デバイスの一時識別子を無効に設定する様式は、具体的には、端末デバイスのための無効な一時識別子を設定すること、またはソースコアネットワーク制御プレーンデバイスのサービスリストから端末デバイスの一時識別子を削除することであり得る。
【０１９３】
任意選択で、Ｓ５０３の後に、本出願のこの実施形態は、下記のステップをさらに含む。
【０１９４】
Ｓ５０３２：  ソースコアネットワーク制御プレーンデバイスは、ソースコアネットワーク制御プレーンデバイスから端末デバイスを登録解除する。
【０１９５】
たとえば、第１のＮＳＳＡＩが決定されることが可能ではないということをソースコアネットワーク制御プレーンデバイスが決定した場合には、ソースコアネットワーク制御プレーンデバイスが端末デバイスにサービスを提供することが可能ではないということ、ならびにソースコアネットワーク制御プレーンデバイスおよび端末デバイスが、互いから分離されることを必要としているということが直接考慮され得る。端末デバイスは、ソースコアネットワーク制御プレーンデバイスから直接登録解除され得、それによって端末デバイスは、ソースコアネットワーク制御プレーンデバイスを使用することによってソースネットワークスライスにアクセスすることを必要とせず、ソースネットワークスライスおよび端末デバイスが分離され、ネットワークスライスのセキュリティーが改善される。
【０１９６】
Ｓ５０４：  端末デバイスは、第３のＮＳＳＡＩおよび第１の表示情報に基づいて第３の登録要求メッセージをアクセスネットワークデバイスへ送信し、第３の登録要求メッセージは、端末デバイスの第３のＮＳＳＡＩおよび永久識別子を搬送する。
【０１９７】
たとえば、端末デバイスは、端末デバイスの永久識別子と、第３のＮＳＳＡＩとをＮＡＳメッセージに付加し、ＲＲＣメッセージは、第３のＮＳＳＡＩと、端末デバイスによって選択されたＰＬＭＮとを搬送する。ＲＲＣメッセージを受信した後に、アクセスネットワークデバイスは、ＲＲＣメッセージ内に含めて搬送されている第３のＮＳＳＡＩおよびＰＬＭＮに基づいて端末デバイスのためのデフォルトコアネットワーク制御プレーンデバイスを選択する。
【０１９８】
Ｓ５０５：  デフォルトコアネットワーク制御プレーンデバイスは、アクセスネットワークデバイスから第３の登録要求メッセージを受信する。
【０１９９】
たとえば、端末デバイスは、受信された第３のＮＳＳＡＩに基づいて第３の登録要求メッセージをアクセスネットワークデバイスへ送信する。アクセスネットワークデバイスは、第３のＮＳＳＡＩに基づいて端末デバイスのための特定のデフォルトコアネットワーク制御プレーンデバイスを決定し、第３の登録要求メッセージをデフォルトコアネットワーク制御プレーンデバイスへ転送する。第３の登録要求メッセージは、端末デバイスの第３のＮＳＳＡＩおよび永久識別子を搬送する。
【０２００】
Ｓ５０６：  デフォルトコアネットワーク制御プレーンデバイスは、永久識別子に基づいてサブスクライバーデータ管理センターデバイスから端末デバイスのサブスクリプションデータを入手する。
【０２０１】
たとえば、デフォルトコアネットワーク制御プレーンデバイスは、端末デバイスの永久識別子をサブスクライバーデータ管理センターデバイスへ送信し、サブスクライバーデータ管理センターデバイスによって返された端末デバイスのサブスクリプションデータを受信する。
【０２０２】
Ｓ５０７：  デフォルトコアネットワーク制御プレーンデバイスは、サブスクリプションデータに基づいて端末デバイスのターゲットコアネットワーク制御プレーンデバイスを決定する。
【０２０３】
たとえば、デフォルトコアネットワーク制御プレーンデバイスは、サブスクリプションデータに基づいて端末デバイスの第１のＮＳＳＡＩを決定し、端末デバイスによって選択された第１のＮＳＳＡＩおよびＰＬＭＮに基づいてターゲットコアネットワーク制御プレーンデバイスを決定する。
【０２０４】
Ｓ５０８：  デフォルトコアネットワーク制御プレーンデバイスは、端末デバイスをターゲットコアネットワーク制御プレーンデバイスへリダイレクトする。
【０２０５】
ターゲットコアネットワーク制御プレーンデバイスを決定した後に、デフォルトコアネットワーク制御プレーンデバイスは、端末デバイスをターゲットコアネットワーク制御プレーンデバイスへリダイレクトする。
【０２０６】
任意選択で、デフォルトコアネットワーク制御プレーンデバイスによって端末デバイスをターゲットコアネットワーク制御プレーンデバイスへリダイレクトするプロセスは、具体的には、下記の少なくとも２つの実現可能な実施態様を含む。
【０２０７】
実現可能な実施態様１：
【０２０８】
デフォルトコアネットワーク制御プレーンデバイスは、第１のリダイレクション表示メッセージをアクセスネットワークデバイスへ送信し、第１のリダイレクション表示メッセージは、端末デバイスをターゲットコアネットワーク制御プレーンデバイスへリダイレクトするようにアクセスネットワークデバイスをトリガーするために使用される。
【０２０９】
たとえば、デフォルトコアネットワーク制御プレーンデバイスは、第１のリダイレクション表示メッセージをアクセスネットワークデバイスへ送信し、第１のリダイレクション表示メッセージは、端末デバイスの第１のＮＳＳＡＩ、ターゲットコアネットワーク制御プレーンデバイスの識別情報、および端末デバイスの永久識別子を搬送する。第１のリダイレクション表示メッセージを受信した後に、アクセスネットワークデバイスは、第１のリダイレクション表示メッセージ内に含めて搬送されているターゲットコアネットワーク制御プレーンデバイスの識別情報に基づいてターゲットコアネットワーク制御プレーンデバイスを選択し、端末デバイスの永久識別子をターゲットコアネットワーク制御プレーンデバイスへ転送し、それによってターゲットコアネットワーク制御プレーンデバイスは、端末デバイスのリダイレクションを完遂する。
【０２１０】
実現可能な実施態様２
【０２１１】
デフォルトコアネットワーク制御プレーンデバイスは、第２のリダイレクション表示メッセージをターゲットコアネットワーク制御プレーンデバイスへ送信し、第２のリダイレクション表示メッセージは、端末デバイスのリダイレクションを完遂するようにターゲットコアネットワーク制御プレーンデバイスをトリガーするために使用される。
【０２１２】
たとえば、デフォルトコアネットワーク制御プレーンデバイスは、ターゲットコアネットワーク制御プレーンデバイスの識別情報に基づいて第２のリダイレクション表示メッセージをターゲットコアネットワーク制御プレーンデバイスへ直接送信し、第２のリダイレクション表示メッセージは、端末デバイスの第１のＮＳＳＡＩおよび端末デバイスの永久識別子を搬送し、それによってターゲットコアネットワーク制御プレーンデバイスは、端末デバイスのリダイレクションを完遂する。
【０２１３】
本出願のさらに別の態様は、図２から図５において示されている実施形態において提供されているコアネットワーク制御プレーンデバイス選択方法を実行するように構成されているコアネットワーク制御プレーンデバイスおよび端末デバイスをさらに提供する。このコアネットワーク制御プレーンデバイスおよび端末デバイスは、コアネットワーク制御プレーンデバイス選択方法と同じ技術的な特徴および同じ技術的な効果を有しており、詳細が本出願において再び記述されることはない。
【０２１４】
図６は、本出願の実施形態によるコアネットワーク制御プレーンデバイスの概略構造図である。このコアネットワーク制御プレーンデバイスは、図２から図４において示されている実施形態におけるソースコアネットワーク制御プレーンデバイスであり得、このコアネットワーク制御プレーンデバイスは、ソフトウェア、ハードウェア、またはソフトウェアとハードウェアとの組合せを使用することによって実装され得る。図６において示されているように、このコアネットワーク制御プレーンデバイスは、
端末デバイスの第１のネットワークスライス選択支援情報を入手するように構成されている入手モジュール６０１と、
ソースコアネットワーク制御プレーンデバイスが、第１のネットワークスライス選択支援情報によってインデックス付けされているターゲットコアネットワーク制御プレーンデバイスを決定することが可能ではない場合に、ソースコアネットワーク制御プレーンデバイスによって第１のネットワークスライス選択支援情報および第１の表示情報を端末デバイスへ送信して、第１の登録要求メッセージを送信するように端末デバイスをトリガーするように構成されている送信モジュール６０２であって、第１の表示情報は、端末デバイスの一時識別子が無効であるということを示すために使用され、第１の登録要求メッセージは、端末デバイスの第１のネットワークスライス選択支援情報および永久識別子を搬送する、送信モジュール６０２とを含む。
【０２１５】
任意選択で、図６において示されている実施形態に基づいて、図７は、本出願の別の実施形態によるコアネットワーク制御プレーンデバイスの概略構造図である。図７において示されているように、コアネットワーク制御プレーンデバイスは、
端末デバイスの一時識別子を無効に設定するように構成されている一時識別子設定モジュール６０３をさらに含む。
【０２１６】
任意選択で、入手モジュール６０１は、
サブスクライバーデータ管理センターデバイスから端末デバイスのサブスクリプションデータを入手することと、
サブスクリプションデータに基づいて第１のネットワークスライス選択支援情報を決定することとを行うように特に構成されている。
【０２１７】
任意選択で、入手モジュール６０１は、
サブスクライバーデータ管理センターデバイスから端末デバイスのサブスクリプションデータを入手することと、
サブスクリプションデータをデフォルトコアネットワーク制御プレーンデバイスへ送信して、端末デバイスの第１のネットワークスライス選択支援情報を要求することと、
デフォルトコアネットワーク制御プレーンデバイスから第１のネットワークスライス選択支援情報を受信することとを行うように特に構成されている。
【０２１８】
任意選択で、図７において示されているように、このコアネットワーク制御プレーンデバイスは、
第１のネットワークスライス選択支援情報に基づいて、ソースコアネットワーク制御プレーンデバイスが端末デバイスにサービス提供し続けることが可能ではないということを決定するように構成されているサービス検知モジュール６０４をさらに含む。
【０２１９】
任意選択で、図７において示されているように、このコアネットワーク制御プレーンデバイスは、
端末デバイスから第２の登録要求メッセージを受信するように構成されている受信モジュール６０５であって、第２の登録要求メッセージは、第２のネットワークスライス選択支援情報を搬送し、第２のネットワークスライス選択支援情報は、ソースコアネットワーク制御プレーンデバイスをインデックス付けするために使用される、受信モジュール６０５をさらに含み、
サービス検知モジュール６０４は、第１のネットワークスライス選択支援情報に関連付けられているスライスタイプまたはサービスタイプが、第２のネットワークスライス選択支援情報に関連付けられているスライスタイプまたはサービスタイプに含まれていないということが決定された場合に、ソースコアネットワーク制御プレーンデバイスが端末デバイスにサービス提供し続けることが可能ではないということを決定するように特に構成されている。
【０２２０】
任意選択で、このコアネットワーク制御プレーンデバイスは、
第１のネットワークスライス選択支援情報をデフォルトコアネットワーク制御プレーンデバイスへ送信して、第１のネットワークスライス選択支援情報によってインデックス付けされているターゲットコアネットワーク制御プレーンデバイスを要求するように構成されているターゲットコアネットワーク制御プレーンデバイス入手モジュール６０６をさらに含み、
要求が失敗した場合には、ソースコアネットワーク制御プレーンデバイスが、第１のネットワークスライス選択支援情報によってインデックス付けされているターゲットコアネットワーク制御プレーンデバイスを決定することが可能ではないということが決定される。
【０２２１】
任意選択で、コアネットワーク制御プレーンデバイスは、
ソースコアネットワーク制御プレーンデバイスから端末デバイスを登録解除するように構成されている登録解除モジュール６０７をさらに含む。
【０２２２】
登録解除モジュール６０７は、ソースコアネットワーク制御プレーンデバイス上に格納されている端末デバイスのコンテキスト情報を削除するように特に構成されている。
【０２２３】
図８は、本出願の実施形態による端末デバイスの概略構造図である。この端末デバイスは、図２から図４において示されている実施形態における端末デバイスであり得、この端末デバイスは、ソフトウェア、ハードウェア、またはソフトウェアとハードウェアとの組合せを使用することによって実装され得る。図８において示されているように、この端末デバイスは、
ソースコアネットワーク制御プレーンデバイスから第１のネットワークスライス選択支援情報および第１の表示情報を受信するように構成されている受信モジュール８０１であって、第１のネットワークスライス選択支援情報は、ターゲットコアネットワーク制御プレーンデバイスをインデックス付けするために使用され、第１の表示情報は、端末デバイスの一時識別子が無効であるということを示すために使用される、受信モジュール８０１と、
第１のネットワークスライス選択支援情報および第１の表示情報に基づいて第１の登録要求メッセージをアクセスネットワークデバイスへ送信するように構成されている送信モジュール８０２とを含む。
【０２２４】
第１の登録要求メッセージは、端末デバイスの第１のネットワークスライス選択支援情報および永久識別子を搬送する。
【０２２５】
図９は、本出願の実施形態によるコアネットワーク制御プレーンデバイスの概略構造図である。このコアネットワーク制御プレーンデバイスは、図５において示されている実施形態におけるソースコアネットワーク制御プレーンデバイスであり得、このコアネットワーク制御プレーンデバイスは、ソフトウェア、ハードウェア、またはソフトウェアとハードウェアとの組合せを使用することによって実装され得る。図９において示されているように、このコアネットワーク制御プレーンデバイスは、
第１のネットワークスライス選択支援情報が決定されることが可能であるかどうかを決定するように構成されている決定モジュール９０１であって、第１のネットワークスライス選択支援情報は、ターゲットコアネットワーク制御プレーンデバイスをインデックス付けするために使用される、決定モジュール９０１と、
ソースコアネットワーク制御プレーンデバイスが第１のネットワークスライス選択支援情報を決定することが可能ではない場合に、第３のネットワークスライス選択支援情報および第１の表示情報を端末デバイスへ送信して、第３の登録要求メッセージを送信するように端末デバイスをトリガーするように構成されている送信モジュール９０２であって、第１の表示情報は、端末デバイスの一時識別子が無効であるということを示すために使用され、第３のネットワークスライス選択支援情報は、デフォルトコアネットワーク制御プレーンデバイスをインデックス付けするために使用され、第３の登録要求メッセージは、端末デバイスの第３のネットワークスライス選択支援情報および永久識別子を搬送する、送信モジュール９０２とを含む。
【０２２６】
任意選択で、このコアネットワーク制御プレーンデバイスは、
第１のネットワークスライス選択支援情報が決定されることが可能ではない場合に、端末デバイスの一時識別子を無効に設定するように構成されている一時識別子設定モジュール９０３をさらに含む。
【０２２７】
任意選択で、このコアネットワーク制御プレーンデバイスは、
ソースコアネットワーク制御プレーンデバイスから端末デバイスを登録解除するように構成されている登録解除モジュール９０４をさらに含む。
【０２２８】
図１０は、本出願の実施形態による端末デバイスの概略構造図である。この端末デバイスは、図５において示されている実施形態における端末デバイスであり得、この端末デバイスは、ソフトウェア、ハードウェア、またはソフトウェアとハードウェアとの組合せを使用することによって実装され得る。図１０において示されているように、この端末デバイスは、
ソースコアネットワーク制御プレーンデバイスから第３のネットワークスライス選択支援情報および第１の表示情報を受信するように構成されている受信モジュール１００１であって、第３のネットワークスライス選択支援情報は、デフォルトコアネットワーク制御プレーンデバイスをインデックス付けするために使用され、第１の表示情報は、端末デバイスの一時識別子が無効であるということを示すために使用される、受信モジュール１００１と、
第３のネットワークスライス選択支援情報および第１の表示情報に基づいて第３の登録要求メッセージをアクセスネットワークデバイスへ送信するように構成されている送信モジュール１００２とを含む。
【０２２９】
第３の登録要求メッセージは、端末デバイスの第３のネットワークスライス選択支援情報および永久識別子を搬送する。
【０２３０】
図１１は、本出願の実施形態によるコアネットワーク制御プレーンデバイスの概略構造図である。このコアネットワーク制御プレーンデバイスは、図５において示されている実施形態におけるデフォルトコアネットワーク制御プレーンデバイスであり得、このコアネットワーク制御プレーンデバイスは、ソフトウェア、ハードウェア、またはソフトウェアとハードウェアとの組合せを使用することによって実装され得る。図１１において示されているように、このコアネットワーク制御プレーンデバイスは、
アクセスネットワークデバイスから第３の登録要求メッセージを受信するように構成されている受信モジュール１１０１であって、第３の登録要求メッセージは、端末デバイスの永久識別子を搬送する、受信モジュール１１０１と、
永久識別子に基づいてサブスクライバーデータ管理センターデバイスから端末デバイスのサブスクリプションデータを入手するように構成されているサブスクリプションデータ入手モジュール１１０２と、
サブスクリプションデータに基づいて端末デバイスのターゲットコアネットワーク制御プレーンデバイスを決定するように構成されているターゲットコアネットワーク制御プレーンデバイス入手モジュール１１０３と、
端末デバイスをターゲットコアネットワーク制御プレーンデバイスへリダイレクトするように構成されているリダイレクションモジュール１１０４とを含む。
【０２３１】
可能な実施態様においては、リダイレクションモジュール１１０４は、
第１のリダイレクション表示メッセージをアクセスネットワークデバイスへ送信することであって、第１のリダイレクション表示メッセージは、端末デバイスをターゲットコアネットワーク制御プレーンデバイスへリダイレクトするようにアクセスネットワークデバイスをトリガーするために使用される、送信すること、または第２のリダイレクション表示メッセージをターゲットコアネットワーク制御プレーンデバイスへ送信することであって、第２のリダイレクション表示メッセージは、端末デバイスのリダイレクションを完遂するようにターゲットコアネットワーク制御プレーンデバイスをトリガーするために使用される、送信することを行うように構成されている送信ユニット１１０５をさらに含む。
【０２３２】
本出願のさらに別の態様は、図２から図５において示されている実施形態において提供されているコアネットワーク制御プレーンデバイス選択方法を実行するように構成されているコアネットワーク制御プレーンデバイスおよび端末デバイスをさらに提供する。このコアネットワーク制御プレーンデバイスおよび端末デバイスは、コアネットワーク制御プレーンデバイス選択方法と同じ技術的な特徴および同じ技術的な効果を有しており、詳細が本出願において再び記述されることはない。
【０２３３】
図１２は、本出願の実施形態によるコアネットワーク制御プレーンデバイスの概略構造図である。このコアネットワーク制御プレーンデバイスは、図２から図４において示されている実施形態におけるソースコアネットワーク制御プレーンデバイスであり得る。図１２において示されているように、このコアネットワーク制御プレーンデバイスは、
端末デバイスの第１のネットワークスライス選択支援情報を入手するように構成されているプロセッサ１２０１と、
第１のコアネットワーク制御プレーンデバイスが、第１のネットワークスライス選択支援情報によってインデックス付けされている第２のコアネットワーク制御プレーンデバイスを決定することが可能ではない場合に、第１のコアネットワーク制御プレーンデバイスによって第１のネットワークスライス選択支援情報および第１の表示情報を端末デバイスへ送信して、第１の登録要求メッセージを送信するように端末デバイスをトリガーするように構成されている送信機１２０２であって、第１の表示情報は、端末デバイスの一時識別子が無効であるということを示すために使用され、第１の登録要求メッセージは、端末デバイスの第１のネットワークスライス選択支援情報および永久識別子を搬送する、送信機１２０２とを含む。
【０２３４】
任意選択で、プロセッサ１２０１は、端末デバイスの一時識別子を無効に設定するようにさらに構成されている。
【０２３５】
任意選択で、プロセッサ１２０１は、
サブスクライバーデータ管理センターデバイスから端末デバイスのサブスクリプションデータを入手することと、
サブスクリプションデータに基づいて第１のネットワークスライス選択支援情報を決定することとを行うように特に構成されている。
【０２３６】
任意選択で、プロセッサ１２０１は、サブスクライバーデータ管理センターデバイスから端末デバイスのサブスクリプションデータを入手するように特に構成されている。
【０２３７】
送信機は、サブスクリプションデータを第３のコアネットワーク制御プレーンデバイスへ送信して、端末デバイスの第１のネットワークスライス選択支援情報を要求するようにさらに構成されている。
【０２３８】
第１のコアネットワーク制御プレーンデバイスは、受信機１２０３をさらに含む。
【０２３９】
受信機は、第３のコアネットワーク制御プレーンデバイスから第１のネットワークスライス選択支援情報を受信するように構成されている。
【０２４０】
任意選択で、プロセッサ１２０１は、
第１のネットワークスライス選択支援情報に基づいて、第１のコアネットワーク制御プレーンデバイスが端末デバイスにサービス提供し続けることが可能ではないということを決定するように特に構成されている。
【０２４１】
任意選択で、受信機１２０３は、
端末デバイスから第２の登録要求メッセージを受信するようにさらに構成されており、第２の登録要求メッセージは、第２のネットワークスライス選択支援情報を搬送し、第２のネットワークスライス選択支援情報は、第１のコアネットワーク制御プレーンデバイスをインデックス付けするために使用される。
【０２４２】
任意選択で、プロセッサ１２０１は、
第１のネットワークスライス選択支援情報に関連付けられているスライスタイプまたはサービスタイプが、第２のネットワークスライス選択支援情報に関連付けられているスライスタイプまたはサービスタイプに含まれていないということが決定された場合に、第１のコアネットワーク制御プレーンデバイスが端末デバイスにサービス提供し続けることが可能ではないということを決定するようにさらに構成されている。
【０２４３】
任意選択で、送信機１２０２は、
第１のネットワークスライス選択支援情報を第３のコアネットワーク制御プレーンデバイスへ送信して、第１のネットワークスライス選択支援情報によってインデックス付けされている第２のコアネットワーク制御プレーンデバイスを要求するようにさらに構成されている。
【０２４４】
プロセッサ１２０１は、要求が失敗した場合には、第１のコアネットワーク制御プレーンデバイスが、第１のネットワークスライス選択支援情報によってインデックス付けされている第２のコアネットワーク制御プレーンデバイスを決定することが可能ではないということを決定するようにさらに構成されている。
【０２４５】
任意選択で、プロセッサ１２０１は、
第１のコアネットワーク制御プレーンデバイスから端末デバイスを登録解除するようにさらに構成されている。
【０２４６】
任意選択で、プロセッサ１２０１は、
第１のコアネットワーク制御プレーンデバイス上に格納されている端末デバイスのコンテキスト情報を削除するようにさらに構成されている。
【０２４７】
図１３は、本出願の実施形態による端末デバイスの概略構造図である。この端末デバイスは、図２から図４において示されている実施形態における端末デバイスであり得る。図１３において示されているように、この端末デバイスは、
第１のコアネットワーク制御プレーンデバイスから第１のネットワークスライス選択支援情報および第１の表示情報を受信するように構成されている受信機１３０１であって、第１のネットワークスライス選択支援情報は、第２のコアネットワーク制御プレーンデバイスをインデックス付けするために使用され、第１の表示情報は、端末デバイスの一時識別子が無効であるということを示すために使用される、受信機１３０１と、
第１のネットワークスライス選択支援情報および第１の表示情報に基づいて第１の登録要求メッセージをアクセスネットワークデバイスへ送信するように構成されている送信機１３０２とを含む。
【０２４８】
第１の登録要求メッセージは、端末デバイスの第１のネットワークスライス選択支援情報および永久識別子を搬送する。
【０２４９】
図１４は、本出願の実施形態によるコアネットワーク制御プレーンデバイスの概略構造図である。このコアネットワーク制御プレーンデバイスは、図５において示されている実施形態におけるソースコアネットワーク制御プレーンデバイスであり得る。図１４において示されているように、このコアネットワーク制御プレーンデバイスは、
第１のネットワークスライス選択支援情報が決定されることが可能であるかどうかを決定するように構成されているプロセッサ１４０１であって、第１のネットワークスライス選択支援情報は、第５のコアネットワーク制御プレーンデバイスをインデックス付けするために使用される、プロセッサ１４０１と、
ソースコアネットワーク制御プレーンデバイスが第１のネットワークスライス選択支援情報を決定することが可能ではない場合に、第３のネットワークスライス選択支援情報および第１の表示情報を端末デバイスへ送信して、第３の登録要求メッセージを送信するように端末デバイスをトリガーするように構成されている送信機１４０２であって、第１の表示情報は、端末デバイスの一時識別子が無効であるということを示すために使用され、第３のネットワークスライス選択支援情報は、第６のコアネットワーク制御プレーンデバイスをインデックス付けするために使用され、第３の登録要求メッセージは、端末デバイスの第３のネットワークスライス選択支援情報および永久識別子を搬送する、送信機１４０２とを含む。
【０２５０】
任意選択で、プロセッサ１４０１は、端末デバイスの一時識別子を無効に設定するようにさらに構成されている。
【０２５１】
任意選択で、プロセッサ１４０１は、第４のコアネットワーク制御プレーンデバイスから端末デバイスを登録解除するようにさらに構成されている。
【０２５２】
図１５は、本出願の実施形態による端末デバイスの概略構造図である。この端末デバイスは、図５において示されている実施形態における端末デバイスであり得る。図１５において示されているように、この端末デバイスは、
第４のコアネットワーク制御プレーンデバイスから第３のネットワークスライス選択支援情報および第１の表示情報を受信するように構成されている受信機１５０１であって、第３のネットワークスライス選択支援情報は、第６のコアネットワーク制御プレーンデバイスをインデックス付けするために使用され、第１の表示情報は、端末デバイスの一時識別子が無効であるということを示すために使用される、受信機１５０１と、
第３のネットワークスライス選択支援情報および第１の表示情報に基づいて第３の登録要求メッセージをアクセスネットワークデバイスへ送信するように構成されている送信機１５０２とを含む。
【０２５３】
第３の登録要求メッセージは、端末デバイスの第３のネットワークスライス選択支援情報および永久識別子を搬送する。
【０２５４】
図１６は、本出願の実施形態によるコアネットワーク制御プレーンデバイスの概略構造図である。このコアネットワーク制御プレーンデバイスは、図５において示されている実施形態におけるデフォルトコアネットワーク制御プレーンデバイスであり得る。図１６において示されているように、このコアネットワーク制御プレーンデバイスは、
アクセスネットワークデバイスから第３の登録要求メッセージを受信するように構成されている受信機１６０１であって、第３の登録要求メッセージは、端末デバイスの永久識別子を搬送する、受信機１６０１と、
永久識別子に基づいてサブスクライバーデータ管理センターデバイスから端末デバイスのサブスクリプションデータを入手するように構成されているプロセッサ１６０２とを含む。
【０２５５】
プロセッサ１６０２は、サブスクリプションデータに基づいて端末デバイスの第５のコアネットワーク制御プレーンデバイスを決定するようにさらに構成されている。
【０２５６】
プロセッサ１６０２は、端末デバイスを第５のコアネットワーク制御プレーンデバイスへリダイレクトするようにさらに構成されている。
【０２５７】
任意選択で、このコアネットワーク制御プレーンデバイスは、
第１のリダイレクション表示メッセージをアクセスネットワークデバイスへ送信することであって、第１のリダイレクション表示メッセージは、端末デバイスを第５のコアネットワーク制御プレーンデバイスへリダイレクトするようにアクセスネットワークデバイスをトリガーするために使用される、送信すること、または
第２のリダイレクション表示メッセージを第５のコアネットワーク制御プレーンデバイスへ送信することであって、第２のリダイレクション表示メッセージは、端末デバイスのリダイレクションを完遂するように第５のコアネットワーク制御プレーンデバイスをトリガーするために使用される、送信することを行うように構成されている送信機１６０３をさらに含む。
【０２５８】
加えて、前述のコアネットワーク制御プレーンデバイスおよび端末デバイスのモジュールの区分は、論理的な機能区分にすぎず、実際の実施中はその他の区分であってもよいということに留意されたい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置どうしまたはユニットどうしの間における間接的な結合または通信接続は、電子的な形態、機械的な形態、またはその他の形態で実施され得る。
【０２５９】
別々の部分として記述されているユニットどうしは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の要件に基づいて選択され得る。
【０２６０】
加えて、本出願における機能ユニットどうしが統合されて１つの処理ユニットになってもよく、またはそれらのユニットのそれぞれが物理的に単独で存在してもよく、または２つ以上のユニットが統合されて１つのユニットになる。その統合されたユニットは、ハードウェアの形態で実装されてもよく、またはソフトウェア機能ユニットに付加するハードウェアの形態で実装されてもよい。
【０２６１】
本出願の実施形態は、プログラムをさらに提供する。このプログラムは、プロセッサによって実行されたときに、図２から図４において示されている実施形態におけるソースコアネットワーク制御プレーンデバイス側での方法を実行するように構成されている。本出願の実施形態は、前述のプログラムを含むプログラム製品、たとえば、コンピュータ可読ストレージメディアをさらに提供する。本出願の実施形態は、コンピュータ可読ストレージメディアをさらに提供する。このコンピュータ可読ストレージメディアは、命令を格納している。その命令がコンピュータ上で稼働されたときに、その命令は、図２から図４において示されている実施形態におけるソースコアネットワーク制御プレーンデバイス側での方法をそのコンピュータに実行させる。
【０２６２】
本出願の実施形態は、プログラムをさらに提供する。このプログラムは、プロセッサによって実行されたときに、図２から図４において示されている実施形態における端末デバイス側での方法を実行するように構成されている。本出願の実施形態は、前述のプログラムを含むプログラム製品、たとえば、コンピュータ可読ストレージメディアをさらに提供する。本出願の実施形態は、コンピュータ可読ストレージメディアをさらに提供する。このコンピュータ可読ストレージメディアは、命令を格納している。その命令がコンピュータ上で稼働されたときに、その命令は、図２から図４において示されている実施形態における端末デバイス側での方法をそのコンピュータに実行させる。
【０２６３】
本出願の実施形態は、プログラムをさらに提供する。このプログラムは、プロセッサによって実行されたときに、図２から図４において示されている実施形態におけるデフォルトコアネットワーク制御プレーンデバイス側での方法を実行するように構成されている。本出願の実施形態は、前述のプログラムを含むプログラム製品、たとえば、コンピュータ可読ストレージメディアをさらに提供する。本出願の実施形態は、コンピュータ可読ストレージメディアをさらに提供する。このコンピュータ可読ストレージメディアは、命令を格納している。その命令がコンピュータ上で稼働されたときに、その命令は、図２から図４において示されている実施形態におけるデフォルトコアネットワーク制御プレーンデバイス側での方法をそのコンピュータに実行させる。
【０２６４】
本出願の実施形態は、プログラムをさらに提供する。このプログラムは、プロセッサによって実行されたときに、図５において示されている実施形態におけるソースコアネットワーク制御プレーンデバイス側での方法を実行するように構成されている。本出願の実施形態は、前述のプログラムを含むプログラム製品、たとえば、コンピュータ可読ストレージメディアをさらに提供する。本出願の実施形態は、コンピュータ可読ストレージメディアをさらに提供する。このコンピュータ可読ストレージメディアは、命令を格納している。その命令がコンピュータ上で稼働されたときに、その命令は、図５において示されている実施形態におけるソースコアネットワーク制御プレーンデバイス側での方法をそのコンピュータに実行させる。
【０２６５】
本出願の実施形態は、プログラムをさらに提供する。このプログラムは、プロセッサによって実行されたときに、図５において示されている実施形態における端末デバイス側での方法を実行するように構成されている。本出願の実施形態は、前述のプログラムを含むプログラム製品、たとえば、コンピュータ可読ストレージメディアをさらに提供する。本出願の実施形態は、コンピュータ可読ストレージメディアをさらに提供する。このコンピュータ可読ストレージメディアは、命令を格納している。その命令がコンピュータ上で稼働されたときに、その命令は、図５において示されている実施形態における端末デバイス側での方法をそのコンピュータに実行させる。
【０２６６】
本出願の実施形態は、プログラムをさらに提供する。このプログラムは、プロセッサによって実行されたときに、図５において示されている実施形態におけるデフォルトコアネットワーク制御プレーンデバイス側での方法を実行するように構成されている。本出願の実施形態は、前述のプログラムを含むプログラム製品、たとえば、コンピュータ可読ストレージメディアをさらに提供する。本出願の実施形態は、コンピュータ可読ストレージメディアをさらに提供する。このコンピュータ可読ストレージメディアは、命令を格納している。その命令がコンピュータ上で稼働されたときに、その命令は、図５において示されている実施形態におけるデフォルトコアネットワーク制御プレーンデバイス側での方法をそのコンピュータに実行させる。
【図１】
0006908720.tif 000002
【図２】
0006908720.tif 000003
【図３】
0006908720.tif 000004
【図４】
0006908720.tif 000005
【図５】
0006908720.tif 000006
【図６】
0006908720.tif 000007
【図７】
0006908720.tif 000008
【図８】
0006908720.tif 000009
【図９】
0006908720.tif 000010
【図１０】
0006908720.tif 000011
【図１１】
0006908720.tif 000012
【図１２】
0006908720.tif 000013
【図１３】
0006908720.tif 000014
【図１４】
0006908720.tif 000015
【図１５】
0006908720.tif 000016
【図１６】
0006908720.tif 000017